(57)【要約】ＭＭＴフォーマット規定の制御情報記録テーブルから番組情報を取得して、番組情報格納パケットを含むＭＭＴパケット列、またはＴＳパケット列を生成して送信し、送信先での番組情報の利用を可能とする。ＭＭＴフォーマットデータを入力し、ネットワーク接続装置に送信する送信データを生成するデータ処理部を有する。データ処理部はＭＭＴフォーマットデータ対応の番組情報を取得して番組情報記録テーブルを生成し、番組情報格納パケットを含む送信データを生成する。データ処理部は、ＭＭＴフォーマット規定のイベント情報テーブル（ＭＨ−ＥＩＴ）等の制御情報記録テーブルから番組情報を取得して、ＭＭＴパケット列、または、ＴＳパケット列から構成される送信データを送信し、送信先での番組情報利用を可能とする。
2019230269.tif 000002
【特許請求の範囲】
【請求項１】
ＭＭＴ（ＭＰＥＧ  Ｍｅｄｉａ  Ｔｒａｎｓｐｏｒｔ）フォーマットデータを入力し、ネットワーク接続装置に送信する送信データを生成するデータ処理部を有し、
前記データ処理部は、
入力データに含まれるＭＭＴフォーマットデータ対応の番組情報を取得し、番組情報記録テーブルを生成して、番組情報記録テーブルの格納パケットを含む送信データを生成する情報処理装置。
【請求項２】
前記データ処理部は、
ＭＭＴフォーマット規定の制御情報記録テーブルから番組情報を取得する請求項１に記載の情報処理装置。
【請求項３】
前記ＭＭＴフォーマット規定の制御情報記録テーブルは、
イベント情報テーブル（ＭＨ−ＥＩＴ）、またはＭＭＴパッケージテーブル（ＭＭＴ）、またはサービス記述テーブル（ＭＨ−ＳＤＴ）、またはブロードキャスタ情報テーブル（ＭＨ−ＢＩＴ）、またはタイムオフセットテーブル（ＭＨ−ＴＯＴ）の少なくともいずれかのテーブルである請求項２に記載の情報処理装置。
【請求項４】
前記データ処理部は、
ＭＭＴフォーマットに従ったＭＭＴパケット列、または、ＭＰＥＧ２−ＴＳフォーマットに従ったＴＳパケット列から構成される送信データを生成する請求項１に記載の情報処理装置。
【請求項５】
前記データ処理部は、
ＭＰＥＧ２−ＴＳフォーマットに従ったＴＳパケット列から構成される送信データを生成する場合、入力データであるＭＭＴフォーマットデータをＭＰＥＧ２−ＴＳフォーマットに変換するフォーマット変換を実行する請求項１に記載の情報処理装置。
【請求項６】
前記データ処理部が入力するＭＭＴフォーマットデータは、放送局の配信データである請求項１に記載の情報処理装置。
【請求項７】
前記データ処理部は、
第１記述子ループと第２記述子ループの２つの記述子ループの少なくともいずかのループに番組情報を記録した番組情報記録テーブルを生成する請求項１に記載の情報処理装置。
【請求項８】
前記データ処理部は、
ＭＰＥＧ２−ＴＳフォーマットにおいて規定されるセレクション情報テーブル（ＳＩＴ）に規定される記述子を記録した番組情報記録テーブルを生成する請求項１に記載の情報処理装置。
【請求項９】
前記データ処理部は、
前記ネットワーク接続装置に送信する送信データが、
ＭＭＴフォーマットに従ったＭＭＴパケット列である場合、
ＭＭＴフォーマットに従った番組情報記録テーブル（ＭＨ−ＳＩＴ）を生成する請求項１に記載の情報処理装置。
【請求項１０】
前記データ処理部は、
前記ネットワーク接続装置に送信する送信データが、
ＭＰＥＧ２−ＴＳフォーマットに従ったＴＳパケット列である場合、
ＭＰＥＧ２−ＴＳフォーマットに従った番組情報記録テーブル（ＳＩＴ）を生成する請求項１に記載の情報処理装置。
【請求項１１】
前記データ処理部は、
ＭＰＥＧ２−ＴＳフォーマットの番組情報記録テーブル（ＳＩＴ）に規定された記述子と同じ記述子を前記ＭＭＴフォーマット規定の制御情報記録テーブルから選択して、前記番組情報記録テーブルに記録する請求項１に記載の情報処理装置。
【請求項１２】
前記データ処理部は、
ＭＰＥＧ２−ＴＳフォーマットの番組情報記録テーブル（ＳＩＴ）に規定された記述子と同じ記述子が前記ＭＭＴフォーマット規定の制御情報記録テーブルにない場合、前記番組情報記録テーブル（ＳＩＴ）に規定された記述子の実体データと類似するデータを前記ＭＭＴフォーマット規定の制御情報記録テーブルから選択して、前記番組情報記録テーブルに記録する請求項１に記載の情報処理装置。
【請求項１３】
前記データ処理部は、
番組情報記録テーブルの格納パケットに番組情報記録テーブル格納パケットであることを識別可能なパケット識別子を記録する請求項１に記載の情報処理装置。
【請求項１４】
ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得し、
前記番組情報格納パケットから、番組情報を読み出して表示部に表示するデータ処理部を有する情報処理装置。
【請求項１５】
前記番組情報は、複数の異なる記述子によって構成され、前記記述子中、少なくとも一部の記述子は、ＭＰＥＧ２−ＴＳフォーマットにおいて規定されるセレクション情報テーブル（ＳＩＴ）に規定された記述子と同じ記述子である請求項１４に記載の情報処理装置。
【請求項１６】
情報処理装置において実行する情報処理方法であり、
データ処理部が、ＭＭＴ（ＭＰＥＧ  Ｍｅｄｉａ  Ｔｒａｎｓｐｏｒｔ）フォーマットデータを入力し、ネットワーク接続装置に送信する送信データを生成するデータ処理ステップを実行し、
前記データ処理部は、前記データ処理ステップにおいて、
入力データに含まれるＭＭＴフォーマットデータ対応の番組情報を取得し、番組情報記録テーブルを生成して、番組情報記録テーブルの格納パケットを含む送信データを生成する情報処理方法。
【請求項１７】
情報処理装置において実行する情報処理方法であり、
データ処理部が、ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得し、
前記番組情報格納パケットから、番組情報を読み出して表示部に表示する情報処理方法。
【請求項１８】
情報処理装置において情報処理を実行させるプログラムであり、
データ処理部に、ＭＭＴ（ＭＰＥＧ  Ｍｅｄｉａ  Ｔｒａｎｓｐｏｒｔ）フォーマットデータを入力して、ネットワーク接続装置に送信する送信データを生成するデータ処理ステップを実行させ、
前記プログラムは、前記データ処理ステップにおいて、
入力データに含まれるＭＭＴフォーマットデータ対応の番組情報を取得し、番組情報記録テーブルを生成して、番組情報記録テーブルの格納パケットを含む送信データを生成させるプログラム。
【請求項１９】
情報処理装置において情報処理を実行させるプログラムであり、
データ処理部に、ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得させ、
前記番組情報格納パケットから番組情報を読み出して表示部に表示させるプログラム。
【発明の詳細な説明】
【技術分野】
【０００１】
本開示は、情報処理装置、および情報処理方法、並びにプログラムに関する。さらに詳細には、今後の放送波等のデータ伝送規格として規格化が予定されているＭＭＴ（ＭＰＥＧ  Ｍｅｄｉａ  Ｔｒａｎｓｐｏｒｔ）データを受信する受信装置が、受信データを他機器に送信する際に番組情報を併せて送信することで、データ送信先において番組情報を利用可能とした構成を実現する情報処理装置、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（制御情報））等のデータを、放送波やネットワークを介して伝送するデータ転送方式（トランスポートフォーマット）を規定したものである。【０００４】
ＭＭＴフォーマットは、例えば４Ｋ画像、高ダイナミックレンジ（ＨＤＲ：Ｈｉｇｈ  Ｄｙｎａｍｉｃ  Ｒａｎｇｅ）画像等の次世代コンテンツの放送等に利用される予定となっている。
なお、ＭＭＴフォーマットに従ったデータ受信、データ処理について開示した従来技術として、例えば特許文献１（国際公開ＷＯ２０１８／０１６２９４号公報）がある。【０００５】
放送局はＭＭＴフォーマットに従って様々な番組コンテンツを送信する。放送局は、さらに番組に対応する番組情報、例えば、番組のタイトル、放送日時、出演者等の番組情報についても、制御情報（ＳＩ）を構成する様々なテーブルに記録して配信する。【０００６】
ＭＭＴフォーマットデータを受信する受信装置は、例えば、テレビ、セットトップボックス（ＳＴＢ）、ＰＣ等、様々な装置が想定される。これらの受信装置は、放送局から受信する制御情報（ＳＩ）から、番組のタイトル、放送日時、出演者等の番組情報を取得して利用することができる。【０００７】
受信装置が受信した番組コンテンツは、他のネットワーク接続装置に転送して、転送先において視聴、利用される場合もある。この場合、番組情報、すなわち、番組のタイトル、放送日時、出演者等の番組情報も転送先で利用することが想定されるが、現時点において、ＭＭＴフォーマットデータに関しては、番組情報の転送のための規定が存在しないという問題がある。
【先行技術文献】
【特許文献】
【０００８】
【特許文献１】国際公開ＷＯ２０１８／０１６２９４号公報
【発明の概要】
【発明が解決しようとする課題】
【０００９】
本開示は、例えば、上記の問題点に鑑みてなされたものであり、ＭＭＴフォーマットに従ったデータを受信装置から他のネットワーク接続装置等の外部装置に出力する場合、外部装置に番組コンテンツに併せて番組情報を送信して外部装置での番組情報の参照、利用を可能とする構成を実現する情報処理装置、および情報処理方法、並びにプログラムを提供することを目的とする。
【課題を解決するための手段】
【００１０】
本開示の第１の側面は、
ＭＭＴ（ＭＰＥＧ  Ｍｅｄｉａ  Ｔｒａｎｓｐｏｒｔ）フォーマットデータを入力し、ネットワーク接続装置に送信する送信データを生成するデータ処理部を有し、
前記データ処理部は、
入力データに含まれるＭＭＴフォーマットデータ対応の番組情報を取得し、番組情報記録テーブルを生成して、番組情報記録テーブルの格納パケットを含む送信データを生成する情報処理装置にある。【００１１】
さらに、本開示の第２の側面は、
ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得し、
前記番組情報格納パケットから、番組情報を読み出して表示部に表示するデータ処理部を有する情報処理装置にある。【００１２】
さらに、本開示の第３の側面は、
情報処理装置において実行する情報処理方法であり、
データ処理部が、ＭＭＴ（ＭＰＥＧ  Ｍｅｄｉａ  Ｔｒａｎｓｐｏｒｔ）フォーマットデータを入力し、ネットワーク接続装置に送信する送信データを生成するデータ処理ステップを実行し、
前記データ処理部は、前記データ処理ステップにおいて、
入力データに含まれるＭＭＴフォーマットデータ対応の番組情報を取得し、番組情報記録テーブルを生成して、番組情報記録テーブルの格納パケットを含む送信データを生成する情報処理方法にある。【００１３】
さらに、本開示の第４の側面は、
情報処理装置において実行する情報処理方法であり、
データ処理部が、ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得し、
前記番組情報格納パケットから、番組情報を読み出して表示部に表示する情報処理方法にある。【００１４】
さらに、本開示の第５の側面は、
情報処理装置において情報処理を実行させるプログラムであり、
データ処理部に、ＭＭＴ（ＭＰＥＧ  Ｍｅｄｉａ  Ｔｒａｎｓｐｏｒｔ）フォーマットデータを入力して、ネットワーク接続装置に送信する送信データを生成するデータ処理ステップを実行させ、
前記プログラムは、前記データ処理ステップにおいて、
入力データに含まれるＭＭＴフォーマットデータ対応の番組情報を取得し、番組情報記録テーブルを生成して、番組情報記録テーブルの格納パケットを含む送信データを生成させるプログラムにある。【００１５】
さらに、本開示の第６の側面は、
情報処理装置において情報処理を実行させるプログラムであり、
データ処理部に、ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得させ、
前記番組情報格納パケットから番組情報を読み出して表示部に表示させるプログラムにある。【００１６】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１７】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１８】
本開示の一実施例の構成によれば、ＭＭＴフォーマット規定の制御情報記録テーブルから番組情報を取得して、番組情報格納パケットを含むＭＭＴパケット列、またはＴＳパケット列を生成して送信し、送信先での番組情報の利用を可能とする構成が実現される。
具体的には、例えば、放送局からのデータ受信を行う受信装置が、ＭＭＴフォーマットデータを入力し、ネットワーク接続装置に送信する送信データを生成するデータ処理部を有する。データ処理部はＭＭＴフォーマットデータ対応の番組情報を取得して番組情報記録テーブルを生成し、番組情報格納パケットを含む送信データを生成する。データ処理部は、ＭＭＴフォーマット規定のイベント情報テーブル（ＭＨ−ＥＩＴ）等の制御情報記録テーブルから番組情報を取得して、ＭＭＴパケット列、または、ＴＳパケット列から構成される送信データを送信し、送信先での番組情報利用を可能とする。
本構成により、ＭＭＴフォーマット規定の制御情報記録テーブルから番組情報を取得して、番組情報格納パケットを含むＭＭＴパケット列、またはＴＳパケット列を生成して送信し、送信先での番組情報の利用を可能とする構成が実現される。
なお、本明細書に記載された効果はあくまで例示であって限定されるものではなく、また付加的な効果があってもよい。
【図面の簡単な説明】
【００１９】
【図１】放送コンテンツのネットワークを介した送信処理について説明する図である。
【図２】受信装置がＭＰＥＧ２−ＴＳフォーマットデータを受信した場合に実行する番組情報の転送処理について説明する図である。
【図３】受信装置が生成するＳＩＴ（セレクション情報テーブル）のデータ構成（シンタクス）について説明する図である。
【図４】ＳＩＴ（セレクション情報テーブル）に記録する記述子の具体例について説明する図である。
【図５】本開示の受信装置が実行する処理の概要について説明する図である。
【図６】ＭＭＴ（ＭＰＥＧ  Ｍｅｄｉａ  Ｔｒａｎｓｐｏｒｔ）フォーマットについて説明する図である。
【図７】ＭＭＴフォーマットデータに含まれる制御情報（ＳＩ）について説明する図である。
【図８】放送局が配信する管理情報記録テーブルについて説明する図である。
【図９】ＭＰＥＧ２−ＴＳフォーマットのＳＩＴ（セレクション情報テーブル）に記録される記述子とＭＭＴフォーマットの制御情報から取得可能な記述子、および本開示の受信装置の実行する処理との対応データについて説明する図である。
【図１０】ＭＭＴフォーマット規定のＭＭＴパッケージテーブル（ＭＰＴ）のデータ構成（シンタクス）を示す図である。
【図１１】ＭＭＴフォーマット規定のイベント情報テーブル（ＭＨ−ＥＩＴ）のデータ構成（シンタクス）を示す図である。
【図１２】本開示の受信装置が実行する処理についして説明する図である。
【図１３】受信装置が生成する２つの番組情報記録テーブル（ＭＨ−ＳＩＴ、ＳＩＴ）のデータ構成（シンタクス）について説明する図である。
【図１４】サービス記述子対応情報の取得と記録処理について説明する図である。
【図１５】サービス記述子対応情報の取得と記録処理について説明する図である。
【図１６】短形式イベント記述子対応情報の取得と記録処理について説明する図である。
【図１７】拡張形式イベント記述子対応情報の取得と記録処理について説明する図である。
【図１８】拡張形式イベント記述子対応情報の取得と記録処理について説明する図である。
【図１９】コンポーネント記述子対応情報の取得と記録処理について説明する図である。
【図２０】コンポーネント記述子対応情報の取得と記録処理について説明する図である。
【図２１】コンポーネント記述子対応情報の取得と記録処理について説明する図である。
【図２２】コンポーネント記述子対応情報の取得と記録処理について説明する図である。
【図２３】コンテンツ記述子対応情報の取得と記録処理について説明する図である。
【図２４】パレンタルレート記述子対応情報の取得と記録処理について説明する図である。
【図２５】音声コンポーネント記述子対応情報の取得と記録処理について説明する図である。
【図２６】音声コンポーネント記述子対応情報の取得と記録処理について説明する図である。
【図２７】音声コンポーネント記述子対応情報の取得と記録処理について説明する図である。
【図２８】音声コンポーネント記述子対応情報の取得と記録処理について説明する図である。
【図２９】音声コンポーネント記述子対応情報の取得と記録処理について説明する図である。
【図３０】音声コンポーネント記述子対応情報の取得と記録処理について説明する図である。
【図３１】データコンテンツ記述子対応情報の取得と記録処理について説明する図である。
【図３２】データコンテンツ記述子対応情報の取得と記録処理について説明する図である。
【図３３】ステッフ記述子対応情報の取得と記録処理について説明する図である。
【図３４】イベントグループ記述子対応情報の取得と記録処理について説明する図である。
【図３５】イベントグループ記述子対応情報の取得と記録処理について説明する図である。
【図３６】ブロードキャスタ名記述子対応情報の取得と記録処理について説明する図である。
【図３７】シリーズ記述子対応情報の取得と記録処理について説明する図である。
【図３８】シリーズ記述子対応情報の取得と記録処理について説明する図である。
【図３９】ネットワーク識別記述子対応情報の取得と記録処理について説明する図である。
【図４０】ネットワーク識別記述子対応情報の取得と記録処理について説明する図である。
【図４１】パーシャルトランスポートストリームタイム記述子対応情報の取得と記録処理について説明する図である。
【図４２】パーシャルトランスポートストリームタイム記述子対応情報の取得と記録処理について説明する図である。
【図４３】放送ＩＤ述子対応情報の取得と記録処理について説明する図である。
【図４４】放送ＩＤ記述子対応情報の取得と記録処理について説明する図である。
【図４５】情報処理装置（受信装置）の装置構成例を示す図である。
【図４６】情報処理装置の実行する処理の処理シーケンスを説明するフローチャートを示す図である。
【図４７】本開示の情報処理装置のハードウェア構成例について説明する図である。
【発明を実施するための形態】
【００２０】
以下、図面を参照しながら本開示の情報処理装置、および情報処理方法、並びにプログラムの詳細について説明する。なお、説明は以下の項目に従って行なう。
１．ＭＭＴフォーマットデータの受信とネットワーク接続装置への出力態様について
２．従来型の番組情報生成、送信処理の概要について
３．本開示の受信装置が実行する処理の概要について
４．ＭＭＴ（ＭＰＥＧ  Ｍｅｄｉａ  Ｔｒａｎｓｐｏｒｔ）フォーマットについて
５．ＭＭＴフォーマットデータに含まれる番組情報等の管理情報について
６．受信装置が実行する番組情報記録テーブル生成処理の概要について
７．番組情報記録テーブル（ＭＨ−ＳＩＴ，ＳＩＴ）生成処理の具体例について
８．ＭＭＴフォーマットデータを受信し、番組情報記録テーブル（ＭＨ−ＳＩＴ，ＳＩＴ）を生成して送信する情報処理装置の構成と処理について
９．情報処理装置の構成例について
１０．本開示の構成のまとめ
【００２１】
［１．ＭＭＴフォーマットデータの受信とネットワーク接続装置への出力態様について］
まず、図１を参照して、ＭＭＴ（ＭＰＥＧ  Ｍｅｄｉａ  Ｔｒａｎｓｐｏｒｔ）フォーマットデータの受信とネットワーク接続装置への出力態様について説明する。
【００２２】
図１に示す放送局１１は、ＭＭＴフォーマットに従ったデータを送信する。
前述したようにＭＭＴフォーマットは、４Ｋ画像や８Ｋ画像等の放送等、高画質画像のデータ伝送を実現するために提案されたデータ伝送規格である。
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、属性情報、番組情報等の様々な管理情報からなる制御情報（ＳＩ：Ｓｉｇｎａｌｉｎｇ  Ｉｎｆｏｒｍａｔｉｏｎ（制御情報））等のデータを、放送波やネットワークを介して伝送するデータ転送方式（トランスポートフォーマット）を規定している。
【００２３】
放送局が配信する番組等の放送コンテンツに関する番組情報、例えば、番組タイトル、放送日時、出演者、カテゴリ（ニュース、ドラマ、スポーツ等）の様々な番組情報は、制御情報（ＳＩ）を構成する複数のテーブルに記録される。これらの番組情報は、番組コンテンツとともに放送波を介して送信されるパケット（ＴＬＶパケット／ＭＭＴパケット）に格納されてユーザ側の受信装置に送信される。
【００２４】
図１には、ＭＭＴフォーマットデータを受信する装置（受信装置）として、放送受信機（ＳＴＢ：Ｓｅｔ  Ｔｏｐ  Ｂｏｘ）１２、ＴＶ１４、記録再生装置１６を示している。
これらの受信装置は、ＭＭＴフォーマットを理解し、ＭＭＴフォーマットに従って格納された画像、音声等からなるコンテンツを取得してＴＶやメディアに出力することができる。
これらの受信装置においては、ＭＭＴフォーマットに従ったパケット（ＴＬＶパケット／ＭＭＴパケット）に格納された番組情報を利用することが可能である。
【００２５】
受信装置は、受信装置が受信したデータを、家の中の機器等、他のネットワーク接続装置、例えば、ＰＣや、記録再生装置（レコーダ）等、放送波の受信処理を行った受信装置以外の機器に出力する場合がある。
【００２６】
この場合、受信装置はＭＭＴフォーマットのまま転送するか、あるいはＭＭＴフォーマットを他のフォーマット、例えば、ＭＰＥＧ−２ＴＳフォーマット等の既存のフォーマットに変換して転送する。
【００２７】
ＭＰＥＧ−２ＴＳフォーマット等の既存フォーマットに変換して転送する理由は、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとして、ＭＰＥＧ−２ＴＳフォーマットが多く利用されているからである。データ出力先のネットワーク接続装置がＭＭＴフォーマットデータを処理できず、ＭＰＥＧ−２ＴＳフォーマットのみ処理可能な機器であることを想定したものである。
【００２８】
受信装置が受信したデータをネットワーク接続装置に出力する場合、番組コンテンツを構成する画像や音声データは、ＭＭＴフォーマット、またはＭＰＥＧ−２ＴＳフォーマットに変換して転送することで、転送先において番組コンテンツの再生を行うことが可能となる。
【００２９】
しかし、番組のタイトル、放送日時、出演者等の番組情報についての転送処理については、放送局からの受信データがＭＰＥＧ２−ＴＳフォーマットである場合の規定が存在するが、放送局からの受信データがＭＭＴフォーマットである場合の規定が存在しない。
【００３０】
今後、放送局からの受信データがＭＭＴフォーマットに順次、切り替えられる予定であるが、現行の規定では番組情報の確実な転送を行うことができず、転送先において番組情報を利用できなくなる可能性がある。受信装置が放送局から受信したデータをネットワーク接続装置等の外部装置に出力して外部装置で視聴、あるいは外部装置に記録する番組の利用形態は、今後、増加するものと想定される。例えば、図１に示す（１）〜（３）の利用形態が想定される。
【００３１】
図１（１）〜（３）の処理について説明する。
図１（１）は、放送受信機（ＳＴＢ）１２の受信データをネットワーク経由で記録再生装置（レコーダ）１３に出力して、記録再生装置（レコーダ）１３に放送コンテンツをコピーあるいはムーブ（移動）して記録する例である。
【００３２】
図１（２）は、ＴＶ１４の内蔵または接続されたメディア（ＨＤＤ等）に放送コンテンツを記録した場合の例である。しかし、ＨＤＤには記録容量の制限があり、新しいコンテンツを記録するため、古い記録コンテンツを、ネットワークを介して他の機器、例えば記録再生装置１５に出力して記録する例である。
【００３３】
図１（３）は、放送波を受信した記録再生装置１６がメディア（ＢＤ）に記録し、この記録データをネットワーク経由で携帯端末１７が受信してストリーミング再生する例である。
【００３４】
例えば、これらのコンテンツ転送処理を行う場合、コンテンツ転送先においても番組情報を利用したいという要望は確実に発生する。
【００３５】
［２．従来型の番組情報生成、送信処理の概要について］
前述したように、受信装置が放送局１１から受信した番組コンテンツ対応の番組情報、例えば、番組のタイトル、放送日時、出演者等の番組情報を、受信装置が生成して外部装置に送信するための処理規定は、放送局からの受信データがＭＰＥＧ２−ＴＳフォーマットである場合の規定として存在する。
【００３６】
図２を参照して、受信装置が、放送局からＭＰＥＧ２−ＴＳフォーマットデータを受信した場合に実行する番組情報の転送処理について説明する。
受信装置が、放送局から、従来のＭＰＥＧ−２ＴＳフォーマットデータを受信して、他のネットワーク接続装置に転送する場合、受信装置は、ＭＰＥＧ−２ＴＳフォーマットにおいて規定された管理情報記録テーブルであるＳＩＴ（セレクション情報テーブル）を生成して転送する。受信装置は、ＳＩＴ（セレクション情報テーブル）に転送コンテンツ対応の番組情報を記録して転送する。
【００３７】
なお、ＳＩＴ（セレクション情報テーブル）は、放送局が生成するテーブルではなく、受信装置自身が生成する。
放送局は、例えば、番組を構成する画像、音声情報の他、番組に関する情報、例えば、番組タイトル、放送日時、出演者、カテゴリ（ニュース、ドラマ、スポーツ等）の様々な番組情報を、制御情報（ＳＩ）を構成するテーブル、例えばｍｐｅｇ２−ｔｓ既定のプログラムマップテーブル（ＰＭＴ）に記録して送信する。
【００３８】
図２に示すように、受信装置はネットワーク接続装置に送信する番組の画像、音声データを格納したＴＳパケットと、転送番組に関する番組情報からなるＳＩＴ（セレクション情報テーブル）を格納したＴＳパケットからなるＴＳストリームであるパーシャルトランスポートストリームを生成してネットワーク接続装置に送信する。
【００３９】
受信装置は、この番組コンテンツの転送に際して、転送番組に関する番組情報を記録したＳＩＴ（セレクション情報テーブル）を生成する。受信装置は、放送局から受信する制御情報（ＳＩ）を構成するテーブル（例えばＰＭＴ）から必要な情報を選択し、選択情報をＳＩＴの所定の位置に記録して、転送番組に関する番組情報からなるＳＩＴを生成する。
【００４０】
番組情報を格納したＳＩＴの生成処理手順については規定（規格）がある。ただし、この規定は、放送局からの受信データがＭＰＥＧ−２ＴＳフォーマットであり、かつ転送データもＭＰＥＧ−２ＴＳフォーマットである場合の規定である。受信装置は、この規定に従って放送局から受信する制御情報（ＳＩ）から必要なデータを取得して、ＳＩＴに記録する処理を行うことで、転送番組に関する番組情報記録テーブル、すなわちＳＩＴをネットワーク接続装置に番組コンテンツとともに送信することができる。
【００４１】
しかし、現行の規定は、放送局からの受信データがＭＰＥＧ−２ＴＳフォーマットであり、かつ転送データもＭＰＥＧ−２ＴＳフォーマットである場合の規定である。
従って、放送局からの受信データがＭＭＴフォーマットである場合には利用できない。
【００４２】
放送局が配信するＭＰＥＧ−２ＴＳフォーマット対応の番組情報記録テーブルと、ＭＭＴフォーマット対応の番組情報記録テーブルとは異なるテーブルであり、受信装置が放送局から受信するデータがＭＭＴフォーマットである場合には、これまでとは全く異なる手順で番組情報記録テーブルを生成して転送することが必要となる。
【００４３】
現行の規定に従った番組情報記録テーブル（ＳＩＴ：セレクション情報テーブル）、すなわち、放送局からの受信データがＭＰＥＧ−２ＴＳフォーマットであり、かつ転送データもＭＰＥＧ−２ＴＳフォーマットである場合に受信装置が生成するＳＩＴのデータ構成（シンタクス）について、図３を参照して説明する。
【００４４】
ＳＩＴ（セレクション情報テーブル）は、女真装置が外部装置に送信するＴＳパケット列からなるパーシャルＴＳ（トランスポートストリーム）対応の管理情報（制御情報、属性情報等）をデータ種別（ＰＩＤ単位）の情報として記録したテーブルである。
【００４５】
ＳＩＴには、図３に示すように、以下の各データ記録領域が設定されている。
（１）第１記述子ループ（伝送情報記述子ループ）（＝記述子（ｄｅｓｃｒｉｐｔｏｒ）記録領域）
（２）第２記述子ループ（サービス情報記述子ループ）（＝記述子（ｄｅｓｃｒｉｐｔｏｒ）記録領域）
【００４６】
（１）第１記述子ループ（伝送情報記述子ループ）には、個々の伝送処理単位データに適用される管理情報が記録される。
（２）第２記述子ループ（サービス情報記述子ループ）には、個々のサービス（番組等）単位の管理情報が記録される。
【００４７】
ＳＩＴ（セレクション情報テーブル）に記録する記述子の具体例を図４に示す。
図４に示す記述子は、現行のＭＰＥＧ−２ＴＳフォーマットにおいて番組情報の記録テーブルとして規定されたＳＩＴ（セレクション情報テーブル）に記録される記述子である。図４には、各記述子に対応するＭＰＥＧ−２ＴＳフォーマット規定のタグ（ｄｅｓｃｒｉｐｔｏｒ＿ｔａｇ）の値と、記述子名と、その意味を対応付けて示している。
【００４８】
図４に示すように、以下の記述子がＳＩＴ（セレクション情報テーブル）の第１または第２記述子ループに記録される。
（１）サービス記述子＝チャンネル名とその事業者名等
（２）短形式イベント記述子＝番組名と番組の簡単な説明の記述
（３）拡張形式イベント記述子＝番組に関する詳細情報の記述
（４）コンポーネント記述子＝映像コンポーネントに関する、種別、説明等
（５）コンテンツ記述子＝番組ジャンル等
（６）パレンタルレート記述子＝視聴年齢制限情報
（７）音声コンポーネント記述子＝音声コンポーネントに関するパラメータ
（８）ハイパーリンク記述子＝他の番組や番組内部、番組関連情報に対するリンク
（９）データコンテンツ記述子＝データコンテンツに関する詳細情報
（１０）スタッフ記述子＝記述子スペースの確保、記述子の無効化情報
（１１）パーシャルトランスポートストリーム記述子＝パーシャルＴＳのストリーム情報、例えば最大ビットレート情報等
（１２）イベントグループ記述子＝イベント共有時の同一内容イベントのグループ化、および、イベントリレーのリンク
（１３）ブロードキャスタ名記述子＝ブロードキャスタ名（放送局名）
（１４）コンポーネントグループ記述子＝マルチビューテレビ（ＭＶＴＶ）におけるコンポーネントグループ
（１５）シリーズ記述子＝複数イベントにまたがるシリーズ情報
（１６）ネットワーク識別記述子＝パーシャルＴＳ（トランスポートストリーム）の生成元のネットワーク情報
（１７）パーシャルトランスポートストリームタイム記述子＝パーシャルＴＳ（トランスポートストリーム）の生成時間情報
（１８）放送ＩＤ記述子＝データ放送の再生に必要な放送時の各種ＩＤ
【００４９】
［３．本開示の受信装置が実行する処理の概要について］
次に、図５を参照して本開示の受信装置が実行する処理の概要について説明する。
図５には、放送サーバ等の放送局１１、受信装置２０、ネットワーク接続装置３０を示している。
放送サーバ等の放送局１１は、ＭＭＴフォーマットに従ったデータを送信する。
【００５０】
受信装置２０は、放送局１１からＭＭＴフォーマットデータを受信する。図５には、受信装置２０の例として、放送受信機（ＳＴＢ：Ｓｅｔ  Ｔｏｐ  Ｂｏｘ）２１、ＴＶ２２、記録再生装置２３、ＰＣ２４、携帯端末２５を示している。これらは一例であり、この他にも様々な種類の受信装置２０が利用可能である。
これらの装置は、全てＭＭＴフォーマットデータを理解してＭＭＴフォーマットデータに対するデータ処理を行うことが可能な装置である。
【００５１】
これらの受信装置２０は、例えばホームネットワーク等の通信ネットワークを介してネットワーク接続装置３０に放送コンテンツを送信する。
この放送コンテンツの送信処理に際して、受信装置２０は、以下の２つの処理のいずれかを実行する。
（処理１）ＭＭＴパケット列によって構成されるＭＭＴフォーマットデータをネットワーク接続装置３０に送信する。
（処理２）ＭＭＴフォーマットをＭＰＥＧ２−ＴＳフォーマットに変換し、ＴＳパケット列によって構成されるＭＰＥＧ−２ＴＳフォーマットデータをネットワーク接続装置３０に送信する。
【００５２】
受信装置２０は、これらの２つの処理のいずれかを実行、または両者を選択的に実行する。
例えば、放送コンテンツの送信先の機器がＭＭＴフォーマットを処理可能な装置である場合は（処理１）を実行し、放送コンテンツの送信先の機器がＭＭＴフォーマットを処理不可能な装置である場合は（処理２）を実行する。
【００５３】
なお、（処理１）、（処理２）のいずれを実行する場合も、受信装置２０は、ネットワーク接続装置３０に送信するコンテンツ（番組）に関する番組情報を記録したテーブルを生成して、ＭＭＴパケット、またはＴＳパケットに格納して番組コンテンツとともに送信する。
受信装置２０は、放送局１１から受信するＭＭＴフォーマットデータに含まれる制御情報（ＳＩ）から番組情報を選択取得して番組情報を記録したテーブルを生成する。
【００５４】
なお、（処理１）、すなわちＭＭＴパケット列からなるＭＭＴフォーマットデータ中に格納する番組情報記録テーブルをＭＨ−ＳＩＴ（セレクション情報テーブル）と呼ぶ。一方、（処理２）、すなわちＴＳパケット列からなるＭＰＥＧ２−ＴＳフォーマットデータ中に格納する番組情報記録テーブルを従来通りＳＩＴ（セレクション情報テーブル）と呼ぶ。なお、「ＭＨ」はＭＭＴフォーマット対応のデータやテーブルであることを意味する。
【００５５】
ＭＭＴフォーマットでは、既に様々なテーブルが定義されており、各テーブルは、格納データに応じて、複数のメッセージカテゴリに分類される。例えばＰＡメッセージ、Ｍ２セクションメッセージ、ＣＡメッセージ、Ｍ２短セクションメッセージ、データ伝送メッセージがある。
今回、新たに定義する番組情報記録テーブルであるＭＨ−ＳＩＴ（セレクション情報テーブル）は、Ｍ２セクションメッセージに属するテーブルとする。
【００５６】
図５に示すように、ＭＨ−ＳＩＴ（セレクション情報テーブル）を格納したＭＭＴパケットには、番組情報を記録したＭＨ−ＳＩＴの格納パケットであることを識別可能としたパケット識別子、例えば［ＰＩＤ＝０ｘ９０００］を設定する。
一方、ＳＩＴ（セレクション情報テーブル）を格納したＴＳパケットには、番組情報を記録したＳＩＴの格納パケットであることを識別可能としたパケット識別子、例えば［ＰＩＤ＝０ｘ００１Ｆ］を設定する。
【００５７】
受信装置２０からＭＭＴパケット列、またはＴＳパケット列を受信したネットワーク接続装置３０のデータ処理部は、いずれの場合も各パケット列からパケット識別子に基づいて番組情報を記録したＭＨ−ＳＩＴ格納パケット、またはＳＩＴ格納パケットを取得し、番組情報を参照、利用することが可能となる。例えば、ネットワーク接続装置３０のデータ処理部は、番組情報格納パケットから番組情報を読み出して表示部に表示するといった処理を行うことができる。
【００５８】
なお、後段で詳細に説明するが、番組情報を記録したＭＨ−ＳＩＴ格納パケット、またはＳＩＴ格納パケットに格納される番組情報は、複数の異なる記述子によって構成され、少なくとも一部の記述子は、従来のＭＰＥＧ２−ＴＳフォーマットのセレクション情報テーブル（ＳＩＴ）に規定された記述子と同じ記述子であり、ネットワーク接続装置３０は、従来とほぼ同様の処理により番組情報を利用することが可能となる。
【００５９】
受信装置２０において実行するＭＭＴフォーマット対応のＭＨ−ＳＩＴ（セレクション情報テーブル）の生成処理と、ＭＰＥＧ２−ＴＳフォーマット対応のＳＩＴ（セレクション情報テーブル）の生成処理については後段で詳細に説明する。
【００６０】
［４．ＭＭＴ（ＭＰＥＧ  Ｍｅｄｉａ  Ｔｒａｎｓｐｏｒｔ）フォーマットについて］
図５を参照して説明したように、放送局１１からのデータ送信は、ＭＭＴ（ＭＰＥＧ  Ｍｅｄｉａ  Ｔｒａｎｓｐｏｒｔ）フォーマットに従って実行される。
図６以下を参照して、ＭＭＴ（ＭＰＥＧ  Ｍｅｄｉａ  Ｔｒａｎｓｐｏｒｔ）フォーマットについて説明する。
【００６１】
図６は、ＭＭＴフォーマットのスタック・モデルを示す図である。
図６に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００６２】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従った制御メッセージ等の制御情報（ＳＩ）の伝送レイヤである。
【００６３】
制御情報（ＳＩ：Ｓｉｇｎａｌｉｎｇ  Ｉｎｆｏｒｍａｔｉｏｎ）は、受信装置側においてコンテンツ（番組）を受信、再生するために必要となる設定情報や、番組情報等の案内情報や通知情報、制御情報、管理情報によって構成される。
ＴＬＶレイヤで処理が生成されるＴＬＶパケットに格納される制御情報（ＳＩ）がＴＬＶ−ＳＩであり、主に受信処理に関する制御情報によって構成されている。
ＭＭＴプロトコル（ＭＭＴＰ）に従って生成されるパケットであるＭＭＴパケット（ＭＭＴＰパケットと表記する場合もある）に格納される制御情報（ＳＩ）は最上位レイヤに示すＭＭＴ−ＳＩであり、主に再生制御に関する制御情報によって構成されている。
【００６４】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴパケットをＩＰパケットに格納して送信する場合と、ＭＭＴパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００６５】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データ、
音声符号化規格であるＡＡＣ（Ａｄｖａｎｃｅｄ  Ａｕｄｉｏ  Ｃｏｄｉｎｇ）に従った符号化音声データである音声（Ａｕｄｉｏ）データ、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴパケットを利用して送信される制御情報（ＭＭＴ−ＳＩ）、
さらに、ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴパケットに格納されて送信される。
【００６６】
制御情報（ＭＭＴ−ＳＩ）は、ＭＭＴパケットで送信される制御情報（制御情報）であり、情報処理装置３０側においてコンテンツ（番組）を再生するために必要となる設定情報や、番組情報等の案内情報や通知情報、制御情報等の様々な管理情報によって構成される。
【００６７】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００６８】
図６に示すように、画像、音声、字幕、さらに、様々な通知情報や制御情報等の様々な管理情報からなる制御情報（ＭＭＴ−ＳＩ）やアプリケーションは、ＭＭＴパケットによって送信される。
【００６９】
図７を参照して、ＭＭＴフォーマットデータに含まれる制御情報（ＳＩ）について説明する。
図７に示すように、制御情報には以下の各情報が含まれる。
ＴＬＶ制御情報（ＴＬＶ−ＳＩ）
ＭＭＴ制御情報（ＭＭＴ−ＳＩ）
【００７０】
先に図６を参照して説明したように、制御情報は、情報処理装置３０側においてコンテンツ（番組等）を受信するために必要となる設定情報や、番組情報等の案内情報や通知情報、制御情報等の管理情報によって構成される。
ＴＬＶレイヤで処理が生成されるＴＬＶパケットに格納される制御情報がＴＬＶ制御情報（ＴＬＶ−ＳＩ）であり、ＭＭＴプロトコルに従って生成されるパケットであるＭＭＴパケットに格納される制御情報は最上位レイヤに示すＭＭＴ制御情報（ＭＭＴ−ＳＩ）である。
【００７１】
［５．ＭＭＴフォーマットデータに含まれる番組情報等の管理情報について］
次に、ＭＭＴフォーマットデータに含まれる番組情報等の管理情報について説明する。
図７（１）に示す２種類の管理情報（ＴＬＶ−ＳＩ，ＭＭＴ−ＳＩ）は、具体的には、図７（２）に示すように、複数のテーブル（ＴＬＶ−ＮＩＴ，ＭＨ−ＢＩＴ，・・・，ＭＰＴ，・・）によって構成される。
これらの複数のテーブルには、さらに、図７（３）に示すように、様々な番組情報、管理情報等、記述子（Ｄｅｓｃｒｉｐｔｏｒ）単位で記録されている。
【００７２】
記述子には、例えば以下のような記述子がある。
コンテンツ（番組）の提供主体を示す放送局名を示す記述子（サービス記述子）、
コンテンツ（番組）の内容（出演者等）を示す記述子（コンテンツ記述子）
コンテンツ（番組）のコピー許容情報を示す記述子（コピー制御記述子）
コンテンツ（番組）の視聴許容年齢情報を示す記述子（パレンタル情報記述子）
なお、上記は記述子の一例であり、ＭＭＴフォーマットには、この他、多数の記述子が規定されており、各記述子対応の様々な管理情報がテーブルに記録される。
【００７３】
図８は、放送局１１が配信する管理情報記録テーブルの例を示す図である。
図８（Ａ）には、放送局１１が配信するデータがＭＭＴフォーマットである場合に、放送局１１が配信するＭＭＴフォーマットに従った管理情報記録テーブルの例を示している。
受信装置２０は、これらのテーブルを受信して、これらのテーブルから、番組情報を記録したテーブル（ＭＨ−ＳＩＴ，ＳＩＴ）を生成する。
【００７４】
なお、本開示の処理では利用しないが、従来処理、すなわち図２に示したように放送局１１がＭＰＥＧ２−ＴＳフォーマットデータを配信する場合に、放送局１１が送信するＭＰＥＧ２−ＴＳに従った管理情報記録テーブルであるプログラムマップテーブル（ＰＭＴ）の例を図８（Ｂ）に参考例として示している。
【００７５】
（Ａ）放送局が配信するＭＭＴフォーマットに従った管理情報記録テーブルには以下のテーブルがある。
（ａ）ＴＬＶ−ＮＩＴ（ネットワーク情報テーブル）
（ｂ）ＭＨ−ＢＩＴ（ブロードキャスタ情報テーブル）
（ｃ）ＭＨ−ＳＤＴ（サービス記述テーブル）
（ｄ）ＭＨ−ＥＩＴ（イベント情報テーブル）
（ｅ）ＭＨ−ＴＯＴ（タイムオフセットテーブル）
（ｆ）ＭＰＴ（ＭＭＴパッケージテーブル）
【００７６】
（ａ）ＴＬＶ−ＮＩＴ（ネットワーク情報テーブル）は、ＴＬＶ制御情報（ＴＬＶ−ＳＩ）に含まれるテーブルであり、ＴＬＶストリームの組み合わせとチューニング情報を記録したテーブルである。
（ｂ）ＭＨ−ＢＩＴ（ブロードキャスタ情報テーブル）は、ＭＭＴ制御情報（ＭＭＴ−ＳＩ）に含まれるテーブルであり、ネットワーク上のブロードキャスタの情報を記録したテーブルである。
【００７７】
（ｃ）ＭＨ−ＳＤＴ（サービス記述テーブル）は、ＭＭＴ制御情報（ＭＭＴ−ＳＩ）に含まれるテーブルであり、チャンネル名、放送事業者名等のチャンネル関連情報を記録したテーブルである。
（ｄ）ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
【００７８】
（ｅ）ＭＨ−ＴＯＴ（タイムオフセットテーブル）は、ＭＭＴ制御情報（ＭＭＴ−ＳＩ）に含まれるテーブルであり、現在の日付、時刻情報等の日時関連情報を記録したテーブルである。
（ｆ）ＭＰＴ（ＭＭＴパッケージテーブル）は、ＭＭＴ制御情報（ＭＭＴ−ＳＩ）に含まれるテーブルであり、コンテンツ（番組等）パッケージの構成要素となるアセット（画像、音声、字幕等）のリストや、位置などのパッケージ構成情報を記録したテーブルである。
【００７９】
一方、（Ｂ）放送局が配信するＭＰＥＧ２−ＴＳフォーマットに従った管理情報記録テーブルには以下のテーブルがある。
（ａ）ＰＭＴ（プログラムマップテーブル）
【００８０】
（ａ）ＰＭＴ（プログラムマップテーブル）は、ＭＰＥＧ−２ＴＳフォーマットに規定されたＰＳＩ（Ｐｒｏｇｒａｍ  Ｓｐｅｃｉｆｉｃ  Ｉｎｆｏｒｍａｔｉｏｎ）に含まれるテーブルであり、データ種別（ＰＩＤ単位）のデータ管理情報（制御情報、属性情報等）を記録したテーブルである。
【００８１】
先に図２を参照して説明した例のように放送局がＭＰＥＧ２−ＴＳフォーマットデータを配信する場合には、受信装置は主にこのＰＭＴから、番組情報を記録したテーブル（ＳＩＴ）を生成して、ネットワーク接続装置に送信している。
【００８２】
本開示の処理では、受信装置２０は、図８（Ａ）に示すＭＭＴフォーマットデータに従ったテーブルを放送局１１から受信し、これらのテーブルから、番組情報を記録したテーブル（ＭＨ−ＳＩＴ，ＳＩＴ（セレクション情報テーブル））を生成する処理を行うことになる。
受信装置２０は、従来のＭＰＥＧ２−ＴＳフォーマットベースの番組情報記録テーブル（ＳＩＴ）とほぼ同様のデータを含む番組情報記録テーブル（ＭＨ−ＳＩＴ，ＳＩＴ）を、図８（Ａ）に示すＭＭＴフォーマットデータに従ったテーブルの記録情報、具体的には各テーブルに記録された記述子（ｄｅｓｃｒｉｐｔｏｒ）等のデータを選択して生成する処理を行うことになる。
【００８３】
このためには、先に図３、図４を参照して説明した従来のＭＰＥＧ２−ＴＳフォーマットベースの番組情報記録テーブル（ＳＩＴ（セレクション情報テーブル））と同様のデータ（記述子）を図８（Ａ）に示す各テーブルから取得することが必要となる。
【００８４】
図９は、ＭＰＥＧ２−ＴＳフォーマットのＳＩＴ（セレクション情報テーブル）に記録される記述子とＭＭＴフォーマットの制御情報から取得可能な記述子、および本開示の受信装置の実行する処理との対応データについて説明する図である。
【００８５】
図９には、
（Ａ）ＭＰＥＧ２−ＴＳフォーマットのＳＩＴ（セレクション情報テーブル）に記録される記述子
（Ｂ）（Ａ）に示す記述子対応のＭＭＴフォーマットの制御情報（ＳＩ）に記録された記述子
（Ｃ）本開示の受信装置２０が、放送局１１から受信するＭＭＴフォーマットデータから記述子を取得するテーブル、または受信装置２０の実行する処理
これらの対応データを示している。
【００８６】
エントリ（１）に示すデータについて説明する。
ＭＰＥＧ２−ＴＳフォーマットのＳＩＴ（セレクション情報テーブル）に記録されている（Ａ）サービス記述子については、（Ｂ）に示すようにＭＭＴフォーマットの制御情報（ＳＩ）にもＭＨ−サービス記述子として記録されている。この記述子は、（Ｃ）に示すように、ＭＭＴフォーマットに対応するサービス記述テーブル（ＭＨ−ＳＤＴ）に記録されている。
【００８７】
従って、ＭＭＴフォーマットデータを放送局から受信する受信装置は、ＭＭＴ対応のサービス記述テーブル（ＭＨ−ＳＤＴ）から、サービス記述子を取得して、番組情報記録テーブル（ＭＨ−ＳＩＴ，ＳＩＴ）に記録することができる。
【００８８】
エントリ（２）に示す短形式イベント記述子は、ＭＭＴ対応のイベント情報テーブル（ＭＨ−ＥＩＴ）から、サービス記述子を取得して、番組情報記録テーブル（ＭＨ−ＳＩＴ，ＳＩＴ）に記録することができる。
【００８９】
ただし、エントリ（８）〜（１１）他の複数の記述子に対応する記述子はＭＭＴ対応のテーブルに記録がなく、受信装置はＭＭＴフォーマットデータから対応する記述子を取得することができない。このような場合には、図９（Ｃ）に示すそれぞれの記述子対応の処理を行う。
なお、各記述子対応の具体的な処理の詳細については後段で説明する。
【００９０】
図９に示すように、放送局１１が送信するＭＭＴ対応の制御情報（ＳＩ）を構成するテーブル（ＭＨ−ＥＩＴ等）には、先に図３、図４を参照して説明したＭＰＥＧ−２ＴＳフォーマットにおいて規定されるＳＩＴ（セレクション情報テーブル）に記録される記述子と同様のデータが多く記録されている。従って、受信装置２０は、放送局１１がＭＭＴフォーマットに従って送信する制御情報（ＳＩ）を構成する各テーブルに記録された記述子（ｄｅｓｃｒｉｐｔｏｒ）を選択取得することで、ＭＰＥＧ−２ＴＳフォーマットにおいて規定されるＳＩＴ（セレクション情報テーブル）とほぼ同様のデータを生成することができる。
【００９１】
ＭＭＴフォーマット対応のテーブルの記述子記録例について、図１０、図１１を参照して説明する。
図１０は、ＭＭＴフォーマット規定のＭＭＴパッケージテーブル（ＭＰＴ）のデータ構成（シンタクス）を示す図である。ＭＭＴパッケージテーブル（ＭＰＴ）は、コンテンツ（番組等）パッケージの構成要素となるアセット（画像、音声、字幕等）のリストや、位置などのパッケージ構成情報を記録したテーブルである。
図１０に示すように、ＭＭＴパッケージテーブル（ＭＰＴ）にはアセット単位の記述子（アセット記述子）が記録されている。
ここには、例えば図９に示すエントリ（８）パレンタルレート記述子等が記録されている。
【００９２】
図１１は、ＭＭＴフォーマット規定のイベント情報テーブル（ＭＨ−ＥＩＴ）のデータ構成（シンタクス）を示す図である。イベント情報テーブル（ＭＨ−ＥＩＴ）は、コンテンツ（番組等）の名称、放送日時、内容の説明など、コンテンツ関連情報を記録したテーブルである。
図１１に示すように、イベント情報テーブル（ＭＨ−ＥＩＴ）にも記述子記録領域が設定され、ここに、様々な記述子が記録される。
ここには、例えば図９に示すエントリ（２）短形式イベント記述子等の複数の記述子が記録される。
【００９３】
受信装置２０は、これらのＭＭＴ対応のテーブルから番組情報記録テーブル（ＭＨ−ＳＩＴ，ＳＩＴ）に記録するための様々な記述子を取得することができる。
【００９４】
［６．受信装置が実行する番組情報記録テーブル生成処理の概要について］
次に、放送局からＭＭＴフォーマットデータを受信する受信装置が実行する番組情報記録テーブル（ＭＨ−ＳＩＴ，ＳＩＴ（セレクション情報テーブル））の生成処理の概要について説明する。
【００９５】
図１２に示すように、受信装置２０は、放送局１１からＭＭＴフォーマットデータを受信する。受信装置２０は、ＭＭＴフォーマットデータを理解してＭＭＴフォーマットデータに対するデータ処理を行うことが可能な装置である。
受信装置２０は、例えばホームネットワーク等の通信ネットワークを介してネットワーク接続装置３０に放送コンテンツを送信する。
【００９６】
この放送コンテンツの送信処理に際して、受信装置２０は、以下の２つの処理のいずれかを実行する。
（処理１）ＭＭＴパケット列によって構成されるＭＭＴフォーマットデータを生成するとともに、番組情報記録テーブル（ＭＨ−ＳＩＴ）を生成してＭＭＴパケット内に格納してネットワーク接続装置３０に送信する。
（処理２）ＭＭＴフォーマットをＭＰＥＧ２−ＴＳフォーマットに変換し、ＴＳパケット列によって構成されるＭＰＥＧ−２ＴＳフォーマットデータを生成するとともに、番組情報記録テーブル（ＳＩＴ）を生成してＭＰＥＧ２−ＴＳパケット内に格納してネットワーク接続装置３０に送信する。
【００９７】
なお、（処理１）の場合の処理態様としては、図１２に示すように、
（１）番組情報記録テーブル（ＭＨ−ＳＩＴ）を格納したＭＭＴパケットを新規に追加する。
（２）既存のＭＨ−ＥＩＴを格納したＭＭＴパケットのデータを番組情報記録テーブル（ＭＨ−ＳＩＴ）のデータで上書きする。
これらの２つの態様があり、受信装置２０は、これら２つの処理のいずれかを実行する。
【００９８】
なお、既存のＭＨ−ＥＩＴを格納したＭＭＴパケットのデータを番組情報記録テーブル（ＭＨ−ＳＩＴ）のデータで上書きする設定が可能な理由は、既存のＭＨ−ＥＩＴの記録情報のほとんどの情報が、受信装置２０が新たに生成する番組情報記録テーブル（ＭＨ−ＳＩＴ）に記録されるからである。ただし、ＭＨ−ＥＩＴ格納パケットのデータを番組情報記録テーブル（ＭＨ−ＳＩＴ）のデータで上書きする処理を行う場合、パケットサイズの調整が必要となる場合がある。既存のＭＨ−ＥＩＴ格納パケットと新規作成するＭＨ−ＳＩＴ格納パケットのパケット長を一致させるためである。この場合は、例えば、新規作成するＭＨ−ＳＩＴ格納パケット内にＭＨ−スタッフ記述子として［０００・・００］等のダミーデータ（スタッフィングバイト）を記録してパケットサイズ調整を行うことになる。
【００９９】
次に、図１３を参照して、受信装置２０が生成する２つの番組情報記録テーブル（ＭＨ−ＳＩＴ、ＳＩＴ）のデータ構成（シンタクス）について説明する。
図１３（１）は、図１２に示す（処理１）、すなわち、ＭＭＴフォーマットデータ列内に挿入する番組情報記録テーブル（ＭＨ−ＳＩＴ）のデータ構成（シンタクス）である。
図１３（２）は、図１２に示す（処理２）、すなわち、ＭＰＥＧ−２ＴＳパケット列内に挿入する番組情報記録テーブル（ＳＩＴ）のデータ構成（シンタクス）である。
【０１００】
図１３（１）に示すＭＭＴ対応番組情報格納テーブルＭＨ−ＳＩＴは、これまでＭＭＴフォーマットで定義さされていない新規のテーブルである。
一方、図１３（２）に示すＭＰＥＧ２−ＴＳ対応番組情報格納テーブルＳＩＴは、すでにＭＰＥＧ−２ＴＳフォーマットにおいて規定されているテーブルに相当し、先に図３、図４を参照して説明したテーブル構成と同様の構成を持つ。
【０１０１】
なお、図１３（１）に示すＭＭＴ対応番組情報格納テーブルＭＨ−ＳＩＴも、基本的に既存の図１３（２）に示すＭＰＥＧ２−ＴＳ対応番組情報格納テーブルＳＩＴと同様のデータ構成を持つ。
いずれも、先に図３を参照して説明したように、以下の２つの記述子記録領域を有する。
（１）第１記述子ループ（伝送情報記述子ループ）（＝記述子（ｄｅｓｃｒｉｐｔｏｒ）記録領域）
（２）第２記述子ループ（サービス情報記述子ループ）（＝記述子（ｄｅｓｃｒｉｐｔｏｒ）記録領域）
【０１０２】
（１）第１記述子ループ（伝送情報記述子ループ）には、個々の伝送処理単位データ対応の管理情報（番組情報を含む）に相当する記述子が記録される。
（２）第２記述子ループ（サービス情報記述子ループ）には、個々のサービス（番組等）単位の管理情報（番組情報を含む）に相当する記述子が記録される。
【０１０３】
なお、図１３（１）に示すＭＭＴ対応番組情報格納テーブルＭＨ−ＳＩＴのテーブルＩＤは、［０ｘＥ０］であり、図１３（２）に示すＭＰＥＧ２−ＴＳ対応番組情報格納テーブルＳＩＴのテーブルＩＤは、［０ｘ７Ｆ］としている。
【０１０４】
図１３（２）に示すＭＰＥＧ２−ＴＳ対応番組情報格納テーブルＳＩＴのテーブルＩＤ＝［０ｘ７Ｆ］は、ＭＰＥＧ２−ＴＳフォーマット上の規定ＩＤである。これに対して、図１３（１）に示すＭＭＴ対応番組情報格納テーブルＭＨ−ＳＩＴのテーブルＩＤ＝［０ｘＥ０］は、ＭＭＴフォーマットにおける現時点の空きＩＤである。競合が発生しない範囲でその他のＩＤを利用することも可能である。
【０１０５】
また、図１３（１）に示すＭＭＴ対応番組情報格納テーブルＭＨ−ＳＩＴに記録するサービスＩＤは、ＭＭＴフォーマットにおいて規定されているＭＭＴパッケージテーブル（ＭＰＴ）に記録されているＭＭＴパッケージＩＤを記録する。これは、ＭＭＴフォーマットにおける同じサービスについて共通のサービスＩＤを記録するためである。
【０１０６】
同様に、図１３（２）に示すＭＰＥＧ２−ＴＳ対応番組情報格納テーブルＳＩＴに記録するサービスＩＤは、ＭＰＥＧ２−ＴＳフォーマットにおいて規定されているプログラムマップテーブル（ＰＭＴ）に記録されているサービスＩＤを記録する。これも、ＭＰＥＧ２−ＴＳフォーマットにおける同じサービスについて共通のサービスＩＤを記録するためである。
【０１０７】
このように、受信装置２０は、図１３に示す２つの番組情報記録テーブル（ＭＨ−ＳＩＴ、ＳＩＴ）のいずれかを生成してネットワーク接続装置３０に送信する。
受信装置２０からＭＭＴパケット列、またはＴＳパケット列を受信したネットワーク接続装置３０のデータ処理部は、いずれの場合も各パケット列からパケット識別子に基づいて番組情報を記録したＭＨ−ＳＩＴ格納パケット、またはＳＩＴ格納パケットを取得し、番組情報を参照、利用することが可能となる。例えば、ネットワーク接続装置３０のデータ処理部は、番組情報格納パケットから番組情報を読み出して表示部に表示するといった処理を行うことができる。
【０１０８】
なお、番組情報は、図１３に示すＭＨ−ＳＩＴ、ＳＩＴ内の記述子ループ中に記述子として記録される。これらの記述子の少なくとも一部の記述子は、従来のＭＰＥＧ２−ＴＳフォーマットのセレクション情報テーブル（ＳＩＴ）に規定された記述子と同じ記述子であり、ネットワーク接続装置３０は、従来とほぼ同様の処理により番組情報を利用することが可能となる。
【０１０９】
［７．番組情報記録テーブル（ＭＨ−ＳＩＴ，ＳＩＴ）生成処理の具体例について］
次に、図１４以下を参照して、受信装置２０が放送局１１からＭＭＴフォーマットデータを受信して、ネットワーク接続装置３０に送信する際に実行する番組情報記録テーブル（ＭＨ−ＳＩＴ，ＳＩＴ（セレクション情報テーブル））の生成処理の具体例について説明する。
【０１１０】
なお、先に図１２を参照して説明したように、受信装置２０は、以下の２つの処理のいずれかを実行する。
（処理１）ＭＭＴパケット列によって構成されるＭＭＴフォーマットデータを生成するとともに、番組情報記録テーブル（ＭＨ−ＳＩＴ）を生成してＭＭＴパケット内に格納してネットワーク接続装置３０に送信する。
（処理２）ＭＭＴフォーマットをＭＰＥＧ２−ＴＳフォーマットに変換し、ＴＳパケット列によって構成されるＭＰＥＧ−２ＴＳフォーマットデータを生成するとともに、番組情報記録テーブル（ＳＩＴ）を生成してＭＰＥＧ２−ＴＳパケット内に格納してネットワーク接続装置３０に送信する。
【０１１１】
図１４以下では、先に図４を参照して説明した従来型のＭＰＥＧ２−ＴＳ対応の番組情報記録テーブル（ＳＩＴ（セレクション情報テーブル）の記録データ（記述子）単位の処理について、順次、説明する。
【０１１２】
（１）サービス記述子対応情報の取得と記録処理
まず、図１４を参照して放送局から受信するＭＭＴフォーマットデータからのサービス記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するサービス記述子の記録処理について説明する。
なお、先に図４を参照して説明したように、サービス記述子には、チャンネル名とその事業者名等の情報が記録される。また、図９に示すように、サービス記述子に対応する記述子は、ＭＭＴフォーマット規定のサービス記述テーブル（ＭＨ−ＳＤＴ）に記録されている。
【０１１３】
図１４には、受信装置２０が実行する処理ステップＳ１１〜Ｓ１３と、これらの処理結果として生成される番組情報記録テーブル（ＭＨ−ＳＩＴ，ＳＩＴ）内のサービス記述子の記録例を示している。
【０１１４】
受信装置２０が、放送局から受信するＭＭＴフォーマットデータに基づいてＭＰＥＧ２−ＴＳ対応の番組情報記録テーブル（ＳＩＴ）を生成する場合は、ステップＳ１１、ステップＳ１２の処理を実行する。この処理結果として、ＭＰＥＧ２−ＴＳ対応の番組情報記録テーブル（ＳＩＴ）内に図１４（ａ）に示すデータ構成を持つサービス記述子が記録される。
【０１１５】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１１、ステップＳ１３の処理を実行する。この処理結果として、ＭＭＴ対応の番組情報記録テーブル（ＭＨ−ＳＩＴ）内に図１４（ｂ）に示すデータ構成を持つサービス記述子が記録される。
【０１１６】
各ステップの処理について説明する。
（ステップＳ１１）
まず、ステップＳ１１において、受信装置２０は放送局１１から受信するＭＭＴフォーマットデータの制御情報（ＳＩ）からサービス記述テーブル（ＭＨ−ＳＤＴ）を取得し、このサービス記述テーブル（ＭＨ−ＳＤＴ）から、番組情報記録テーブル（ＭＨ−ＳＩＴ、ＳＩＴ（セレクション情報テーブル））に記録するサービス記述子に対応する情報を取得する。
【０１１７】
先に図８を参照して説明したように、ＭＨ−ＳＤＴ（サービス記述テーブル）は、ＭＭＴ制御情報（ＭＭＴ−ＳＩ）に含まれるテーブルであり、チャンネル名、放送事業者名等のチャンネル関連情報を記録したテーブルである。
受信装置２０は、このサービス記述テーブル（ＭＨ−ＳＤＴ）から、番組情報記録テーブル（ＭＨ−ＳＩＴ、ＳＩＴ（セレクション情報テーブル））に記録するサービス記述子に対応する情報を取得する。
具体的には、番組のタイプを示すサービスタイプ、番組提供者情報としての事業者名、番組提供チャンネルを示すチャンネル名等の情報を取得する。
【０１１８】
なお、ＭＭＴフォーマットにおいて配信されるＭＨ−ＳＤＴ（サービス記述テーブル）には、全ての放送局に共通する全局情報と、各局単位の情報である各局情報の２種類のテーブルがある。ここで利用するテーブルは、各局単位の情報である各局情報に相当するＭＨ−ＳＤＴ（サービス記述テーブル）とする。
【０１１９】
（ステップＳ１２）
ステップＳ１２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０１２０】
この場合、受信装置２０は、ステップＳ１１でＭＭＴフォーマット対応のサービス記述テーブル（ＭＨ−ＳＤＴ）から取得した情報を利用して、ＭＰＥＧ２−ＴＳ対応の番組情報記録テーブル（ＳＩＴ）にサービス記述子を記録する。
なお、サービス記述子の記録領域は、第２記述子ループ（サービス情報記述子ループ）とする。
【０１２１】
この結果、ＭＰＥＧ２−ＴＳ対応の番組情報記録テーブル（ＳＩＴ）内に図１４（ａ）に示すデータ構成を持つサービス記述子が記録される。
図１４（ａ）に示すサービス記述子には、記述子タグ＝０ｘ４８が記録され、さらに、番組のタイプを示すサービスタイプ、番組提供者情報としての事業者名、番組提供チャンネルを示すチャンネル名等の情報が記録される。
記述子タグ＝０ｘ４８は、従来のＭＰＥＧ２−ＴＳ対応のＳＩＴにおいてサービス記述子タグとして用いられているタグである。
サービスタイプ、事業者名、チャンネル名は、ステップＳ１１でＭＭＴフォーマット対応のサービス記述テーブル（ＭＨ−ＳＤＴ）から取得した情報である。
【０１２２】
なお、従来のＭＰＥＧ２−ＴＳフォーマット対応のＳＩＴでは、サービスタイプとして、図１５（ａ）に示す０ｘ０１〜０ｘＡＡの９種類のサービスタイプの定義がある。
しかし、ＭＭＴフォーマット対応のサービス記述テーブル（ＭＨ−ＳＤＴ）には、図１５（ａ）に示す０ｘ０１に対応するデジタルテレビサービスと、０ｘＡ１に対応するテンポラリビデオサービスの２種類のみが定義されている。
【０１２３】
従って、ステップＳ１１において、ＭＭＴフォーマット対応のサービス記述テーブル（ＭＨ−ＳＤＴ）から取得できるサービスタイプ情報は、図１５（ａ）に示す０ｘ０１に対応するデジタルテレビサービスと、０ｘＡ１に対応するテンポラリビデオサービスのいずれかであり、この２つのいずれかのサービスタイプが図１４（ａ）に示すＭＰＥＧ２−ＴＳフォーマット対応の番組情報記録テーブル（ＳＩＴ）のサービス記述子に記録されることになる。
【０１２４】
（ステップＳ１３）
ステップＳ１３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０１２５】
この場合、受信装置２０は、ステップＳ１１でＭＭＴフォーマット対応のサービス記述テーブル（ＭＨ−ＳＤＴ）から取得した情報を利用して、ＭＭＴ対応の番組情報記録テーブル（ＭＨ−ＳＩＴ）にサービス記述子を記録する。
なお、サービス記述子の記録領域は、第２記述子ループ（サービス情報記述子ループ）とする。
【０１２６】
この結果、ＭＭＴ対応の番組情報記録テーブル（ＭＨ−ＳＩＴ）内に図１４（ｂ）に示すデータ構成を持つサービス記述子が記録される。
図１４（ｂ）に示すサービス記述子には、記述子タグ＝０ｘ８０１９が記録され、さらに、番組のタイプを示すサービスタイプ、番組提供者情報としての事業者名、番組提供チャンネルを示すチャンネル名等の情報が記録される。
記述子タグ＝０ｘ８０１９は、ＭＭＴフォーマットにおいてサービス記述子タグとして用いられているタグである。
サービスタイプ、事業者名、チャンネル名は、ステップＳ１１でＭＭＴフォーマット対応のサービス記述テーブル（ＭＨ−ＳＤＴ）から取得した情報である。
【０１２７】
なお、前述したように、ステップＳ１１において、ＭＭＴフォーマット対応のサービス記述テーブル（ＭＨ−ＳＤＴ）から取得できるサービスタイプ情報は、図１５（ｂ）に示す０ｘ０１に対応するデジタルテレビサービスと、０ｘＡ１に対応するテンポラリビデオサービスのいずれかであり、この２つのいずれかのサービスタイプが図１４（ｂ）に示すＭＭＴフォーマット対応の番組情報記録テーブル（ＭＨ−ＳＩＴ）のサービス記述子に記録されることになる。
【０１２８】
（２）短形式イベント記述子対応情報の取得と記録処理
次に、図１６を参照して放送局から受信するＭＭＴフォーマットデータからの短形式イベント記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対する短形式イベント記述子の記録処理について説明する。
なお、先に図４を参照して説明したように、短形式イベント記述子には、番組名と番組の簡単な説明の記述等の情報が記録される。また、図９に示すように、短形式イベント記述子に対応する記述子は、ＭＭＴフォーマット規定のイベント情報テーブル（ＭＨ−ＥＩＴ）に記録されている。
【０１２９】
図１６には、受信装置２０が実行する処理ステップＳ２１〜Ｓ２３と、これらの処理結果として生成される番組情報記録テーブル（ＭＨ−ＳＩＴ，ＳＩＴ）内の短形式イベント記述子の記録例を示している。
【０１３０】
受信装置２０が、放送局から受信するＭＭＴフォーマットデータに基づいてＭＰＥＧ２−ＴＳ対応の番組情報記録テーブル（ＳＩＴ）を生成する場合は、ステップＳ２１、ステップＳ２２の処理を実行する。この処理結果として、ＭＰＥＧ２−ＴＳ対応の番組情報記録テーブル（ＳＩＴ）内に図１６（ａ）に示すデータ構成を持つ短形式イベント記述子が記録される。
【０１３１】
一方、受信装置２０が、放送局から受信するＭＭＴフォーマットデータに基づいてＭＭＴ対応の番組情報記録テーブル（ＭＨ−ＳＩＴ）を生成する場合は、ステップＳ２１、ステップＳ２３の処理を実行する。この処理結果として、ＭＭＴ対応の番組情報記録テーブル（ＭＨ−ＳＩＴ）内に図１６（ｂ）に示すデータ構成を持つ短形式イベント記述子が記録される。
【０１３２】
各ステップの処理について説明する。
（ステップＳ２１）
まず、ステップＳ２１において、受信装置２０は放送局１１から受信するＭＭＴフォーマットデータの制御情報（ＳＩ）からイベント情報テーブル（ＭＨ−ＥＩＴ）を取得し、このイベント情報テーブル（ＭＨ−ＥＩＴ）から、番組情報記録テーブル（ＭＨ−ＳＩＴ、ＳＩＴ（セレクション情報テーブル））に記録する短形式イベント記述子に対応する情報を取得する。
【０１３３】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
受信装置２０は、このイベント情報テーブル（ＭＨ−ＥＩＴ）から、番組情報記録テーブル（ＭＨ−ＳＩＴ、ＳＩＴ（セレクション情報テーブル））に記録する短形式イベント記述子に対応する情報を取得する。
具体的には、番組の言語情報（ＩＳＯ６３９  ｌａｎｇａｇｅ  ｃｏｄｅ）、番組名、番組詳細情報等の情報を取得する。
【０１３４】
（ステップＳ２２）
ステップＳ２２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０１３５】
この場合、受信装置２０は、ステップＳ２１でＭＭＴフォーマット対応のイベント情報テーブル（ＭＨ−ＥＩＴ）から取得した情報を利用して、ＭＰＥＧ２−ＴＳ対応の番組情報記録テーブル（ＳＩＴ）に短形式イベント記述子を記録する。
なお、短形式イベント記述子の記録領域は、第２記述子ループ（サービス情報記述子ループ）とする。
【０１３６】
この結果、ＭＰＥＧ２−ＴＳ対応の番組情報記録テーブル（ＳＩＴ）内に図１６（ａ）に示すデータ構成を持つ短形式イベント記述子が記録される。
図１６（ａ）に示す短形式イベント記述子には、記述子タグ＝０ｘ４Ｄが記録され、さらに、番組の言語情報（ＩＳＯ６３９  ｌａｎｇａｇｅ  ｃｏｄｅ）、番組名、番組詳細情報等の情報が記録される。
記述子タグ＝０ｘ４Ｄは、従来のＭＰＥＧ２−ＴＳ対応のＳＩＴにおいて短形式イベント記述子タグとして用いられているタグである。
番組の言語情報、番組名、番組詳細情報は、ステップＳ２１でＭＭＴフォーマット対応のイベント情報テーブル（ＭＨ−ＥＩＴ）から取得した情報である。
【０１３７】
（ステップＳ２３）
ステップＳ２３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０１３８】
この場合、受信装置２０は、ステップＳ２１でＭＭＴフォーマット対応のイベント情報テーブル（ＭＨ−ＥＩＴ）から取得した情報を利用して、ＭＭＴ対応の番組情報記録テーブル（ＭＨ−ＳＩＴ）に短形式イベント記述子を記録する。
なお、短形式イベント記述子の記録領域は、第２記述子ループ（サービス情報記述子ループ）とする。
【０１３９】
この結果、ＭＭＴ対応の番組情報記録テーブル（ＭＨ−ＳＩＴ）内に図１６（ｂ）に示すデータ構成を持つ短形式イベント記述子が記録される。
図１６（ｂ）に示す短形式イベント記述子には、記述子タグ＝０ｘＦ００１が記録され、さらに、番組の言語情報（ＩＳＯ６３９  ｌａｎｇａｇｅ  ｃｏｄｅ）、番組名、番組詳細情報等の情報が記録される。
記述子タグ＝０ｘＦ００１は、ＭＭＴフォーマットにおいて短形式イベント記述子タグとして用いられているタグである。
番組の言語情報、番組名、番組詳細情報は、ステップＳ２１でＭＭＴフォーマット対応のイベント情報テーブル（ＭＨ−ＥＩＴ）から取得した情報である。
【０１４０】
（３）拡張形式イベント記述子対応情報の取得と記録処理
次に、図１７、図１８を参照して放送局から受信するＭＭＴフォーマットデータからの拡張形式イベント記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対する拡張形式イベント記述子の記録処理について説明する。
なお、先に図４を参照して説明したように、拡張形式イベント記述子には、番組に関する詳細情報等の情報が記録される。また、図９に示すように、拡張形式イベント記述子に対応する記述子は、ＭＭＴフォーマット規定のイベント情報テーブル（ＭＨ−ＥＩＴ）に記録されている。
【０１４１】
図１７には、受信装置２０が実行する処理ステップＳ３１〜Ｓ３３を示し、図１８には、これらの処理結果として生成される番組情報記録テーブル（ＭＨ−ＳＩＴ，ＳＩＴ）内の拡張形式イベント記述子の記録例を示している。
【０１４２】
受信装置２０が、放送局から受信するＭＭＴフォーマットデータに基づいてＭＰＥＧ２−ＴＳ対応の番組情報記録テーブル（ＳＩＴ）を生成する場合は、ステップＳ３１、ステップＳ３２の処理を実行する。この処理結果として、ＭＰＥＧ２−ＴＳ対応の番組情報記録テーブル（ＳＩＴ）内に図１８（ａ）に示すデータ構成を持つ拡張形式イベント記述子が記録される。
【０１４３】
一方、受信装置２０が、放送局から受信するＭＭＴフォーマットデータに基づいてＭＭＴ対応の番組情報記録テーブル（ＭＨ−ＳＩＴ）を生成する場合は、ステップＳ３１、ステップＳ３３の処理を実行する。この処理結果として、ＭＭＴ対応の番組情報記録テーブル（ＭＨ−ＳＩＴ）内に図１８（ｂ）に示すデータ構成を持つ拡張形式イベント記述子が記録される。
【０１４４】
各ステップの処理について説明する。
（ステップＳ３１）
まず、ステップＳ３１において、受信装置２０は放送局１１から受信するＭＭＴフォーマットデータの制御情報（ＳＩ）からイベント情報テーブル（ＭＨ−ＥＩＴ）を取得し、このイベント情報テーブル（ＭＨ−ＥＩＴ）から、番組情報記録テーブル（ＭＨ−ＳＩＴ、ＳＩＴ（セレクション情報テーブル））に記録する拡張形式イベント記述子に対応する情報を取得する。
【０１４５】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
受信装置２０は、このイベント情報テーブル（ＭＨ−ＥＩＴ）から、番組情報記録テーブル（ＭＨ−ＳＩＴ、ＳＩＴ（セレクション情報テーブル））に記録する拡張形式イベント記述子に対応する情報を取得する。
具体的には、番組の言語情報（ＩＳＯ６３９  ｌａｎｇａｇｅ  ｃｏｄｅ）、出演者や監督等の項目名と項目内容等の情報を取得する。
【０１４６】
（ステップＳ３２）
ステップＳ３２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０１４７】
この場合、受信装置２０は、ステップＳ３１でＭＭＴフォーマット対応のイベント情報テーブル（ＭＨ−ＥＩＴ）から取得した情報を利用して、ＭＰＥＧ２−ＴＳ対応の番組情報記録テーブル（ＳＩＴ）に拡張形式イベント記述子を記録する。
なお、拡張形式イベント記述子の記録領域は、第２記述子ループ（サービス情報記述子ループ）とする。
【０１４８】
この結果、ＭＰＥＧ２−ＴＳ対応の番組情報記録テーブル（ＳＩＴ）内に図１８（ａ）に示すデータ構成を持つ拡張形式イベント記述子が記録される。
図１８（ａ）に示す拡張形式イベント記述子には、記述子タグ＝０ｘ４Ｅが記録され、さらに、番組の言語情報（ＩＳＯ６３９  ｌａｎｇａｇｅ  ｃｏｄｅ）、出演者や監督等の項目名と項目内容等の情報が記録される。
記述子タグ＝０ｘ４Ｅは、従来のＭＰＥＧ２−ＴＳ対応のＳＩＴにおいて拡張形式イベント記述子タグとして用いられているタグである。
番組の言語情報、出演者や監督等の項目名と項目内容情報は、ステップＳ３１でＭＭＴフォーマット対応のイベント情報テーブル（ＭＨ−ＥＩＴ）から取得した情報である。
【０１４９】
（ステップＳ３３）
ステップＳ３３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０１５０】
この場合、受信装置２０は、ステップＳ３１でＭＭＴフォーマット対応のイベント情報テーブル（ＭＨ−ＥＩＴ）から取得した情報を利用して、ＭＭＴ対応の番組情報記録テーブル（ＭＨ−ＳＩＴ）に拡張形式イベント記述子を記録する。
なお、拡張形式イベント記述子の記録領域は、第２記述子ループ（サービス情報記述子ループ）とする。
【０１５１】
この結果、ＭＭＴ対応の番組情報記録テーブル（ＭＨ−ＳＩＴ）内に図１８（ｂ）に示すデータ構成を持つ拡張形式イベント記述子が記録される。
図１８（ｂ）に示す拡張形式イベント記述子には、記述子タグ＝０ｘＦ００２が記録され、さらに、番組の言語情報、出演者や監督等の項目名と項目内容情報等の情報が記録される。
記述子タグ＝０ｘＦ００２は、ＭＭＴフォーマットにおいて拡張形式イベント記述子タグとして用いられているタグである。
番組の言語情報、出演者や監督等の項目名と項目内容情報は、ステップＳ３１でＭＭＴフォーマット対応のイベント情報テーブル（ＭＨ−ＥＩＴ）から取得した情報である。
【０１５２】
（４）コンポーネント記述子対応情報の取得と記録処理
次に、図１９以下を参照して放送局から受信するＭＭＴフォーマットデータからのコンポーネント記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するコンポーネント記述子の記録処理について説明する。
なお、先に図４を参照して説明したように、コンポーネント記述子には、映像コンポーネントに関する、種別、説明等の情報が記録される。また、図９に示すように、コンポーネント記述子に対応する記述子は、ＭＭＴフォーマット規定のＭＭＴパッケージテーブル（ＭＰＴ）やイベント情報テーブル（ＭＨ−ＥＩＴ）に記録されている。
【０１５３】
図１９に受信装置２０が実行する処理ステップＳ４１〜Ｓ４３を示し、図２０にこれらの処理結果として生成される番組情報記録テーブル（ＭＨ−ＳＩＴ，ＳＩＴ）内のコンポーネント記述子の記録例を示している。
【０１５４】
受信装置２０が、放送局から受信するＭＭＴフォーマットデータに基づいてＭＰＥＧ２−ＴＳ対応の番組情報記録テーブル（ＳＩＴ）を生成する場合は、ステップＳ４１、ステップＳ４２の処理を実行する。この処理結果として、ＭＰＥＧ２−ＴＳ対応の番組情報記録テーブル（ＳＩＴ）内に図２０（ａ）に示すデータ構成を持つコンポーネント記述子が記録される。
【０１５５】
一方、受信装置２０が、放送局から受信するＭＭＴフォーマットデータに基づいてＭＭＴ対応の番組情報記録テーブル（ＭＨ−ＳＩＴ）を生成する場合は、ステップＳ４１、ステップＳ４３の処理を実行する。この処理結果として、ＭＭＴ対応の番組情報記録テーブル（ＭＨ−ＳＩＴ）内に図２０（ｂ）に示すデータ構成を持つコンポーネント記述子が記録される。
【０１５６】
各ステップの処理について説明する。
（ステップＳ４１）
まず、ステップＳ４１において、受信装置２０は放送局１１から受信するＭＭＴフォーマットデータの制御情報（ＳＩ）からＭＭＴパッケージテーブル（ＭＰＴ）、またはイベント情報テーブル（ＭＨ−ＥＩＴ）を取得し、取得したＭＭＴパッケージテーブル（ＭＰＴ）、またはイベント情報テーブル（ＭＨ−ＥＩＴ）から、番組情報記録テーブル（ＭＨ−ＳＩＴ、ＳＩＴ（セレクション情報テーブル））に記録するコンポーネント記述子に対応する情報を取得する。
【０１５７】
先に図８を参照して説明したように、ＭＭＴパッケージテーブル（ＭＰＴ）は、ＭＭＴ制御情報（ＭＭＴ−ＳＩ）に含まれるテーブルであり、コンテンツ（番組等）パッケージの構成要素となるアセット（画像、音声、字幕等）のリストや、位置などのパッケージ構成情報を記録したテーブルである。ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
【０１５８】
受信装置２０は、このＭＭＴパッケージテーブル（ＭＰＴ）、またはイベント情報テーブル（ＭＨ−ＥＩＴ）から、番組情報記録テーブル（ＭＨ−ＳＩＴ、ＳＩＴ（セレクション情報テーブル））に記録するコンポーネント記述子に対応する情報を取得する。
【０１５９】
ただし、ＭＭＴフォーマットでは、ＭＰＥＧ２−ＴＳ規定のコンポーネント記述子と同じ情報を記録したコンポーネント記述子がない。ＭＭＴフォーマットでは、映像コンポーネントに関する情報を記録した映像コンポーネント記述子が、ＭＭＴパッケージテーブル（ＭＰＴ）と、イベント情報テーブル（ＭＨ−ＥＩＴ）に記録されており、この情報を取得して利用する。
【０１６０】
図２１にＭＭＴパッケージテーブル（ＭＰＴ）と、イベント情報テーブル（ＭＨ−ＥＩＴ）に記録されている映像コンポーネント記述子のデータ構成を示す。
図２１に示すように、ＭＭＴフォーマットのＭＰＴ、ＭＨ−ＥＩＴに記録されている映像コンポーネント記述子には、以下の各情報が含まれる。
（１ａ）映像信号解像度（ｖｉｄｅｏ＿ｒｅｓｏｌｕｔｉｏｎ）
（１ｂ）映像信号アスペクト比（ｖｉｄｅｏ＿ａｓｐｅｃｔ＿ｒａｔｉｏ）
（１ｃ）映像フレームレート（ｖｉｄｅｏ＿ｆｒａｍｅ＿ｒａｔｅ）
（１ｄ）映像信号伝達特性（ｖｉｄｅｏ＿ｒｔｒａｎｓｆｅｒ＿ｃｈａｒａｃｔｅｒｉｓｔｉｃｓ）
これらの各情報の具体的な設定値は、図２２に示す通りである。なお、図２２には、ＭＭＴにおいて規定される値の一部のみを示している。
【０１６１】
ステップＳ４１において、受信装置２０は、ＭＭＴパッケージテーブル（ＭＰＴ）、またはイベント情報テーブル（ＭＨ−ＥＩＴ）から、図２１に示すデータ構成を持つ映像コンポーネント記述子を取得する。
【０１６２】
（ステップＳ４２）
ステップＳ４２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０１６３】
この場合、受信装置２０は、ステップＳ４１でＭＭＴフォーマット対応のＭＭＴパッケージテーブル（ＭＰＴ）、またはイベント情報テーブル（ＭＨ−ＥＩＴ）から取得した映像コンポーネント記述子、すなわち、図２１に示すデータ構成を持つ映像コンポーネント記述子の記録情報を、ＭＰＥＧ２−ＴＳ対応のコンポーネント記述子の記録情報に変換する。
その後、この変換情報を、ＭＰＥＧ２−ＴＳ対応の番組情報記録テーブル（ＳＩＴ）にコンポーネント記述子として記録する。
なお、コンポーネント記述子の記録領域は、第２記述子ループ（サービス情報記述子ループ）とする。
【０１６４】
図２０（ａ）にＭＰＥＧ２−ＴＳ対応の番組情報記録テーブル（ＳＩＴ）のコンポーネント記述子のデータ構成を示す。
ＭＰＥＧ２−ＴＳ対応のコンポーネント記述子には、
ストリームコンテンツ（ｓｔｒｅａｍ＿ｃｏｎｔｅｎｔ）情報、
コンポーネントタイプ（ｃｏｍｐｏｎｅｎｔ＿ｔｙｐｅ）情報、
これらの情報を記録することが必要となる。
【０１６５】
これらの情報は、具体的には、図２０（ａ２）に示す値、すなわち、
ストリームコンテンツ＝０ｘ９、コンポーネントタイプ＝０ｘ８３、または、
ストリームコンテンツ＝０ｘ９、コンポーネントタイプ＝０ｘ９３、
これらのいずれかの組み合わせを記録すればよい。
【０１６６】
ストリームコンテンツ＝０ｘ９、コンポーネントタイプ＝０ｘ８３は、放送局からの受信データの解像度が４３２０（８Ｋ）の場合に相当する。
また、ストリームコンテンツ＝０ｘ９、コンポーネントタイプ＝０ｘ９３は、放送局からの受信データの解像度が２１６０（４Ｋ）の場合に相当する。
放送局からの受信データの解像度については、先に図２０、図２１を参照して説明したＭＭＴフォーマット対応の映像コンポーネント記述子の映像信号解像度（ｖｉｄｅｏ＿ｒｅｓｏｌｕｔｉｏｎ）から取得可能である。受信装置２０は、この取得値に従って、
ストリームコンテンツ＝０ｘ９、コンポーネントタイプ＝０ｘ８３、または、
ストリームコンテンツ＝０ｘ９、コンポーネントタイプ＝０ｘ９３、
これらのいずれかの組み合わせをＭＰＥＧ２−ＴＳ対応のコンポーネント記述子に記録する。
【０１６７】
この結果、ＭＰＥＧ２−ＴＳ対応の番組情報記録テーブル（ＳＩＴ）内に図２０（ａ）に示すデータ構成を持つコンポーネント記述子が記録される。
図２０（ａ）に示すコンポーネント記述子には、記述子タグ＝０ｘ５０が記録され、さらに、
ストリームコンテンツ＝０ｘ９、コンポーネントタイプ＝０ｘ８３、または、
ストリームコンテンツ＝０ｘ９、コンポーネントタイプ＝０ｘ９３、
これらのいずれかの組み合わせのデータが記録される。
記述子タグ＝０ｘ５０は、従来のＭＰＥＧ２−ＴＳ対応のＳＩＴにおいてコンポーネント記述子タグとして用いられているタグである。
【０１６８】
（ステップＳ４３）
ステップＳ４３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０１６９】
受信装置２０は、ステップＳ４１でＭＭＴフォーマット対応のＭＭＴパッケージテーブル（ＭＰＴ）、またはイベント情報テーブル（ＭＨ−ＥＩＴ）から取得した情報、具体的には、図２１に示す映像コンポーネント記述子を、そのままＭＭＴ対応の番組情報記録テーブル（ＭＨ−ＳＩＴ）のコンポーネント記述子として記録する。
なお、コンポーネント記述子の記録領域は、第２記述子ループ（サービス情報記述子ループ）とする。
【０１７０】
この結果、ＭＭＴ対応の番組情報記録テーブル（ＭＨ−ＳＩＴ）内に図２０（ｂ）に示すデータ構成を持つコンポーネント記述子が記録される。
図２０（ｂ）に示すコンポーネント記述子は、図２１に示す映像コンポーネント記述子と同様のデータ構成である。記述子タグ＝０ｘ８０１０が記録され、さらに、左記に、図２１、図２２を参照して説明した、
（１ａ）映像信号解像度（ｖｉｄｅｏ＿ｒｅｓｏｌｕｔｉｏｎ）
（１ｂ）映像信号アスペクト比（ｖｉｄｅｏ＿ａｓｐｅｃｔ＿ｒａｔｉｏ）
（１ｃ）映像フレームレート（ｖｉｄｅｏ＿ｆｒａｍｅ＿ｒａｔｅ）
（１ｄ）映像信号伝達特性（ｖｉｄｅｏ＿ｒｔｒａｎｓｆｅｒ＿ｃｈａｒａｃｔｅｒｉｓｔｉｃｓ）
これらの各情報が放送局１１から受信した映像コンポーネント記述子の設定値のまま記録される。
記述子タグ＝０ｘ８０１０は、ＭＭＴフォーマットにおいて映像コンポーネント記述子タグとして用いられているタグである。
【０１７１】
（５）コンテンツ記述子対応情報の取得と記録処理
次に、図２３を参照して放送局から受信するＭＭＴフォーマットデータからのコンテンツ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するコンテンツ記述子の記録処理について説明する。
なお、先に図４を参照して説明したように、コンテンツ記述子には、番組ジャンル等の情報が記録される。また、図９に示すように、コンテンツ記述子に対応する記述子は、ＭＭＴフォーマット規定のイベント情報テーブル（ＭＨ−ＥＩＴ）に記録されている。
【０１７２】
図２３には、受信装置２０が実行する処理ステップＳ５１〜Ｓ５３と、これらの処理結果として生成される番組情報記録テーブル（ＭＨ−ＳＩＴ，ＳＩＴ）内のコンテンツ記述子の記録例を示している。
【０１７３】
受信装置２０が、放送局から受信するＭＭＴフォーマットデータに基づいてＭＰＥＧ２−ＴＳ対応の番組情報記録テーブル（ＳＩＴ）を生成する場合は、ステップＳ５１、ステップＳ５２の処理を実行する。この処理結果として、ＭＰＥＧ２−ＴＳ対応の番組情報記録テーブル（ＳＩＴ）内に図２３（ａ）に示すデータ構成を持つコンテンツ記述子が記録される。
【０１７４】
一方、受信装置２０が、放送局から受信するＭＭＴフォーマットデータに基づいてＭＭＴ対応の番組情報記録テーブル（ＭＨ−ＳＩＴ）を生成する場合は、ステップＳ５１、ステップＳ５３の処理を実行する。この処理結果として、ＭＭＴ対応の番組情報記録テーブル（ＭＨ−ＳＩＴ）内に図２３（ｂ）に示すデータ構成を持つコンテンツ記述子が記録される。
【０１７５】
各ステップの処理について説明する。
（ステップＳ５１）
まず、ステップＳ５１において、受信装置２０は放送局１１から受信するＭＭＴフォーマットデータの制御情報（ＳＩ）からイベント情報テーブル（ＭＨ−ＥＩＴ）を取得し、このイベント情報テーブル（ＭＨ−ＥＩＴ）から、番組情報記録テーブル（ＭＨ−ＳＩＴ、ＳＩＴ（セレクション情報テーブル））に記録するコンテンツ記述子に対応する情報を取得する。
【０１７６】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
受信装置２０は、このイベント情報テーブル（ＭＨ−ＥＩＴ）から、番組情報記録テーブル（ＭＨ−ＳＩＴ、ＳＩＴ（セレクション情報テーブル））に記録するコンテンツ記述子に対応する情報を取得する。
具体的には、番組のジャンル情報等の情報を取得する。
【０１７７】
（ステップＳ５２）
ステップＳ５２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０１７８】
この場合、受信装置２０は、ステップＳ５１でＭＭＴフォーマット対応のイベント情報テーブル（ＭＨ−ＥＩＴ）から取得した情報を利用して、ＭＰＥＧ２−ＴＳ対応の番組情報記録テーブル（ＳＩＴ）にコンテンツ記述子を記録する。
なお、コンテンツ記述子の記録領域は、第２記述子ループ（サービス情報記述子ループ）とする。
【０１７９】
この結果、ＭＰＥＧ２−ＴＳ対応の番組情報記録テーブル（ＳＩＴ）内に図２３（ａ）に示すデータ構成を持つコンテンツ記述子が記録される。
図２３（ａ）に示すコンテンツ記述子には、記述子タグ＝０ｘ５４を記録する。記述子タグ＝０ｘ５４は、従来のＭＰＥＧ２−ＴＳ対応のＳＩＴにおいてコンテンツ記述子タグとして用いられているタグである。
【０１８０】
さらに、
（ａ）コンテンツニブルレベル１（ｃｏｎｔｅｎｔ＿ｎｉｂｂｌｅ＿ｌｅｖｅｌ＿１）
（ｂ）コンテンツニブルレベル１（ｃｏｎｔｅｎｔ＿ｎｉｂｂｌｅ＿ｌｅｖｅｌ＿１）
（ｃ）ユーザニブル（ｕｓｅｒ＿ｎｉｂｂｌｅ）
（ｄ）ユーザニブル（ｕｓｅｒ＿ｎｉｂｂｌｅ）
これらのデータ領域（ａ）〜（ｄ）に、ステップＳ５１でＭＭＴフォーマット対応のイベント情報テーブル（ＭＨ−ＥＩＴ）から取得したジャンル情報に基づく値（コード情報）を記録する。
【０１８１】
なお、データ領域（ａ）〜（ｄ）に記録する番組ジャンル対応の値は、ＭＰＥＧ２−ＴＳにおいて規定されており、この規定情報を参照して、ステップＳ５１でＭＭＴフォーマット対応のイベント情報テーブル（ＭＨ−ＥＩＴ）から取得したジャンル情報に基づく値（コード情報）を記録する。
【０１８２】
（ステップＳ５３）
ステップＳ５３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０１８３】
この場合、受信装置２０は、ステップＳ５１でＭＭＴフォーマット対応のイベント情報テーブル（ＭＨ−ＥＩＴ）から取得した情報を利用して、ＭＭＴ対応の番組情報記録テーブル（ＭＨ−ＳＩＴ）にコンテンツ記述子を記録する。
なお、コンテンツ記述子の記録領域は、第２記述子ループ（サービス情報記述子ループ）とする。
【０１８４】
この結果、ＭＭＴ対応の番組情報記録テーブル（ＭＨ−ＳＩＴ）内に図２３（ｂ）に示すデータ構成を持つコンテンツ記述子が記録される。
図２３（ｂ）に示すコンテンツ記述子には、記述子タグ＝０ｘ８０１２が記録され、さらに、番組のジャンル情報を、
（ａ）コンテンツニブルレベル１（ｃｏｎｔｅｎｔ＿ｎｉｂｂｌｅ＿ｌｅｖｅｌ＿１）
（ｂ）コンテンツニブルレベル１（ｃｏｎｔｅｎｔ＿ｎｉｂｂｌｅ＿ｌｅｖｅｌ＿１）
（ｃ）ユーザニブル（ｕｓｅｒ＿ｎｉｂｂｌｅ）
（ｄ）ユーザニブル（ｕｓｅｒ＿ｎｉｂｂｌｅ）
これらのデータ領域（ａ）〜（ｄ）に記録する。
【０１８５】
記述子タグ＝０ｘ８０１２は、ＭＭＴフォーマットにおいてコンテンツ記述子タグとして用いられているタグである。
番組のジャンル情報は、ステップＳ５１でＭＭＴフォーマット対応のイベント情報テーブル（ＭＨ−ＥＩＴ）から取得した情報を利用して記録する。
【０１８６】
（６）パレンタルレート記述子対応情報の取得と記録処理
次に、図２４を参照して放送局から受信するＭＭＴフォーマットデータからのパレンタルレート記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するパレンタルレート記述子の記録処理について説明する。
なお、先に図４を参照して説明したように、パレンタルレート記述子には、番組の視聴者年齢制限情報等の情報が記録される。また、図９に示すように、パレンタル記述子に対応する記述子は、ＭＭＴフォーマット規定のＭＭＴパッケージテーブル（ＭＰＴ）やイベント情報テーブル（ＭＨ−ＥＩＴ）に記録されている。
【０１８７】
図２４には、受信装置２０が実行する処理ステップＳ６１〜Ｓ６３と、これらの処理結果として生成される番組情報記録テーブル（ＭＨ−ＳＩＴ，ＳＩＴ）内のパレンタルレート記述子の記録例を示している。
【０１８８】
受信装置２０が、放送局から受信するＭＭＴフォーマットデータに基づいてＭＰＥＧ２−ＴＳ対応の番組情報記録テーブル（ＳＩＴ）を生成する場合は、ステップＳ６１、ステップＳ６２の処理を実行する。この処理結果として、ＭＰＥＧ２−ＴＳ対応の番組情報記録テーブル（ＳＩＴ）内に図２４（ａ）に示すデータ構成を持つパレンタルレート記述子が記録される。
【０１８９】
一方、受信装置２０が、放送局から受信するＭＭＴフォーマットデータに基づいてＭＭＴ対応の番組情報記録テーブル（ＭＨ−ＳＩＴ）を生成する場合は、ステップＳ６１、ステップＳ６３の処理を実行する。この処理結果として、ＭＭＴ対応の番組情報記録テーブル（ＭＨ−ＳＩＴ）内に図２４（ｂ）に示すデータ構成を持つパレンタルレート記述子が記録される。
【０１９０】
各ステップの処理について説明する。
（ステップＳ６１）
まず、ステップＳ６１において、受信装置２０は放送局１１から受信するＭＭＴフォーマットデータの制御情報（ＳＩ）からＭＭＴパッケージテーブル（ＭＰＴ）、またはイベント情報テーブル（ＭＨ−ＥＩＴ）を取得し、このＭＭＴパッケージテーブル（ＭＰＴ）、またはイベント情報テーブル（ＭＨ−ＥＩＴ）から、番組情報記録テーブル（ＭＨ−ＳＩＴ、ＳＩＴ（セレクション情報テーブル））に記録するパレンタルレート記述子に対応する情報を取得する。
【０１９１】
先に図８を参照して説明したように、ＭＭＴパッケージテーブル（ＭＰＴ）は、ＭＭＴ制御情報（ＭＭＴ−ＳＩ）に含まれるテーブルであり、コンテンツ（番組等）パッケージの構成要素となるアセット（画像、音声、字幕等）のリストや、位置などのパッケージ構成情報を記録したテーブルである。ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
【０１９２】
受信装置２０は、このＭＭＴパッケージテーブル（ＭＰＴ）、またはイベント情報テーブル（ＭＨ−ＥＩＴ）から、番組情報記録テーブル（ＭＨ−ＳＩＴ、ＳＩＴ（セレクション情報テーブル））に記録するパレンタルレート記述子に対応する情報を取得する。具体的には、番組の視聴年齢制限情報等の情報を取得する。
【０１９３】
（ステップＳ６２）
ステップＳ６２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０１９４】
この場合、受信装置２０は、ステップＳ６１でＭＭＴフォーマット対応のＭＭＴパッケージテーブル（ＭＰＴ）、またはイベント情報テーブル（ＭＨ−ＥＩＴ）から取得した情報を利用して、ＭＰＥＧ２−ＴＳ対応の番組情報記録テーブル（ＳＩＴ）にパレンタルレート記述子を記録する。
なお、パレンタルレート記述子の記録領域は、第２記述子ループ（サービス情報記述子ループ）とする。
【０１９５】
この結果、ＭＰＥＧ２−ＴＳ対応の番組情報記録テーブル（ＳＩＴ）内に図２４（ａ）に示すデータ構成を持つパレンタルレート記述子が記録される。
図２４（ａ）に示すパレンタルレート記述子には、記述子タグ＝０ｘ５５を記録する。記述子タグ＝０ｘ５５は、従来のＭＰＥＧ２−ＴＳ対応のＳＩＴにおいてパレンタルレート記述子タグとして用いられているタグである。
【０１９６】
さらに、国コード（ｃｏｕｎｔｒｙ＿ｃｏｄｅ）に日本を示す国コード（０ｘ６Ａ７０６Ｅ）を記録する。
さらに、レーティング情報に、視聴年齢制限情報の設定値を記録する。
具体的には、以下のいずれかの値を記録する。
０ｘ００＝未定義、
０ｘ０１〜０ｘ１１＝視聴許容最小年齢が設定値（０１〜１１）＋３
０ｘ１２〜０ｘＦＦ＝事業者定義
この値は、ＭＰＥＧ２−ＴＳフォーマット、ＭＭＴフォーマットに共通の値（コード）であり、ステップＳ６１でＭＭＴフォーマット対応のＭＭＴパッケージテーブル（ＭＰＴ）、またはイベント情報テーブル（ＭＨ−ＥＩＴ）から取得した視聴年齢制限情報対応の値（コード情報）を取得して記録すればよい。
【０１９７】
（ステップＳ６３）
ステップＳ６３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０１９８】
この場合、受信装置２０は、ステップＳ６１でＭＭＴフォーマット対応のＭＭＴパッケージテーブル（ＭＰＴ）、またはイベント情報テーブル（ＭＨ−ＥＩＴ）から取得した情報を利用して、ＭＭＴ対応の番組情報記録テーブル（ＭＨ−ＳＩＴ）にパレンタルレート記述子を記録する。
なお、パレンタルレート記述子の記録領域は、第２記述子ループ（サービス情報記述子ループ）とする。
【０１９９】
この結果、ＭＭＴ対応の番組情報記録テーブル（ＭＨ−ＳＩＴ）内に図２４（ｂ）に示すデータ構成を持つパレンタルレート記述子が記録される。
図２４（ｂ）に示すパレンタルレート記述子には、記述子タグ＝０ｘ８０１３が記録される。記述子タグ＝０ｘ８０１３は、ＭＭＴフォーマットにおいてパレンタルレート記述子タグとして用いられているタグである。
【０２００】
さらに、国コード（ｃｏｕｎｔｒｙ＿ｃｏｄｅ）に日本を示す国コード（０ｘ６Ａ７０６Ｅ）を記録する。
さらに、レーティング情報に、視聴年齢制限情報の設定値を記録する。
具体的には、以下のいずれかの値を記録する。
０ｘ００＝未定義、
０ｘ０１〜０ｘ１１＝視聴許容最小年齢が設定値（０１〜１１）＋３
０ｘ１２〜０ｘＦＦ＝事業者定義
この値は、ＭＰＥＧ２−ＴＳフォーマット、ＭＭＴフォーマットに共通の値（コード）であり、ステップＳ６１でＭＭＴフォーマット対応のＭＭＴパッケージテーブル（ＭＰＴ）、またはイベント情報テーブル（ＭＨ−ＥＩＴ）から取得した視聴年齢制限情報対応の値（コード情報）を取得して記録すればよい。
【０２０１】
（７）音声コンポーネント記述子対応情報の取得と記録処理
次に、図２５以下を参照して放送局から受信するＭＭＴフォーマットデータからの音声コンポーネント記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対する音声コンポーネント記述子の記録処理について説明する。
なお、先に図４を参照して説明したように、音声コンポーネント記述子には、音声コンポーネントに関する、種別、説明等の情報が記録される。また、図９に示すように、音声コンポーネント記述子に対応する記述子は、ＭＭＴフォーマット規定のＭＭＴパッケージテーブル（ＭＰＴ）やイベント情報テーブル（ＭＨ−ＥＩＴ）に記録されている。
【０２０２】
図２５に受信装置２０が実行する処理ステップＳ７１〜Ｓ７３を示し、図２６にこれらの処理結果として生成される番組情報記録テーブル（ＭＨ−ＳＩＴ，ＳＩＴ）内の音声コンポーネント記述子の記録例を示している。
【０２０３】
受信装置２０が、放送局から受信するＭＭＴフォーマットデータに基づいてＭＰＥＧ２−ＴＳ対応の番組情報記録テーブル（ＳＩＴ）を生成する場合は、ステップＳ７１、ステップＳ７２の処理を実行する。この処理結果として、ＭＰＥＧ２−ＴＳ対応の番組情報記録テーブル（ＳＩＴ）内に図２６（ａ）に示すデータ構成を持つ音声コンポーネント記述子が記録される。
【０２０４】
一方、受信装置２０が、放送局から受信するＭＭＴフォーマットデータに基づいてＭＭＴ対応の番組情報記録テーブル（ＭＨ−ＳＩＴ）を生成する場合は、ステップＳ７１、ステップＳ７３の処理を実行する。この処理結果として、ＭＭＴ対応の番組情報記録テーブル（ＭＨ−ＳＩＴ）内に図２６（ｂ）に示すデータ構成を持つ音声コンポーネント記述子が記録される。
【０２０５】
各ステップの処理について説明する。
（ステップＳ７１）
まず、ステップＳ７１において、受信装置２０は放送局１１から受信するＭＭＴフォーマットデータの制御情報（ＳＩ）からＭＭＴパッケージテーブル（ＭＰＴ）、またはイベント情報テーブル（ＭＨ−ＥＩＴ）を取得し、取得したＭＭＴパッケージテーブル（ＭＰＴ）、またはイベント情報テーブル（ＭＨ−ＥＩＴ）から、番組情報記録テーブル（ＭＨ−ＳＩＴ、ＳＩＴ（セレクション情報テーブル））に記録する音声コンポーネント記述子に対応する情報を取得する。
【０２０６】
先に図８を参照して説明したように、ＭＭＴパッケージテーブル（ＭＰＴ）は、ＭＭＴ制御情報（ＭＭＴ−ＳＩ）に含まれるテーブルであり、コンテンツ（番組等）パッケージの構成要素となるアセット（画像、音声、字幕等）のリストや、位置などのパッケージ構成情報を記録したテーブルである。ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
【０２０７】
受信装置２０は、このＭＭＴパッケージテーブル（ＭＰＴ）、またはイベント情報テーブル（ＭＨ−ＥＩＴ）から、番組情報記録テーブル（ＭＨ−ＳＩＴ、ＳＩＴ（セレクション情報テーブル））に記録する音声コンポーネント記述子に対応する情報を取得する。
【０２０８】
図２７にＭＭＴパッケージテーブル（ＭＰＴ）と、イベント情報テーブル（ＭＨ−ＥＩＴ）に記録されている音声コンポーネント記述子のデータ構成を示す。
図２７に示すように、ＭＭＴフォーマットのＭＰＴ、ＭＨ−ＥＩＴに記録されている音声コンポーネント記述子には、以下の各情報が含まれる。
（１ａ）ストリームコンテンツ情報（ｓｔｒｅａｍ＿ｃｏｎｔｅｎｔ）
（１ｂ）コンポーネントタイプ情報（ｃｏｍｐｏｎｅｎｔ＿ｔｙｐｅ）
（１ｃ）ストリームタイプ情報（ｓｔｒｅａｍ＿ｔｙｐｅ）
（１ｄ）音声品質識別子（ｑｕａｌｉｔｙ＿ｉｎｄｉｃａｔｏｒ）
（１ｅ）サンプリングレート（ｓａｍｐｌｉｎｇ＿ｒａｔｅ）
【０２０９】
これらの各情報の具体的な設定値の一部の例を、図２８〜図３０に示す。
図２８は、（１ａ）ストリームコンテンツ情報（ｓｔｒｅａｍ＿ｃｏｎｔｅｎｔ）の設定値の例である。
図２９は、（１ｂ）コンポーネントタイプ情報（ｃｏｍｐｏｎｅｎｔ＿ｔｙｐｅ）の設定値の例である。
図３０は、（１ｅ）サンプリングレート（ｓａｍｐｌｉｎｇ＿ｒａｔｅ）の設定値の例である。
これらは、ＭＭＴにおいて規定される値（コード）であり、その他の上記情報（１ａ）〜（１ｄ）の各設定値がＭＭＴにおいて規定されている。
ステップＳ７１において、受信装置２０は、ＭＭＴパッケージテーブル（ＭＰＴ）、またはイベント情報テーブル（ＭＨ−ＥＩＴ）から、図２７に示すデータ構成を持つ音声コンポーネント記述子を取得する。
【０２１０】
（ステップＳ７２）
ステップＳ７２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２１１】
この場合、受信装置２０は、ステップＳ７１でＭＭＴフォーマット対応のＭＭＴパッケージテーブル（ＭＰＴ）、またはイベント情報テーブル（ＭＨ−ＥＩＴ）から取得した音声コンポーネント記述子、すなわち、図２７に示すデータ構成を持つ音声コンポーネント記述子の記録情報を、ＭＰＥＧ２−ＴＳ対応の音声コンポーネント記述子の記録情報としてそのまま利用して記録する。
なお、音声コンポーネント記述子の記録領域は、第２記述子ループ（サービス情報記述子ループ）とする。
【０２１２】
図２６（ａ）にＭＰＥＧ２−ＴＳ対応の番組情報記録テーブル（ＳＩＴ）の音声コンポーネント記述子のデータ構成を示す。
図２６（ａ）に示す音声コンポーネント記述子には、記述子タグ＝０ｘＣ４を記録し、さらに、
（１ａ）ストリームコンテンツ情報（ｓｔｒｅａｍ＿ｃｏｎｔｅｎｔ）
（１ｂ）コンポーネントタイプ情報（ｃｏｍｐｏｎｅｎｔ＿ｔｙｐｅ）
（１ｃ）ストリームタイプ情報（ｓｔｒｅａｍ＿ｔｙｐｅ）
（１ｄ）音声品質識別子（ｑｕａｌｉｔｙ＿ｉｎｄｉｃａｔｏｒ）
（１ｅ）サンプリングレート（ｓａｍｐｌｉｎｇ＿ｒａｔｅ）
これらの値を記録する。
【０２１３】
これら（１ａ）〜（１ｅ）の値は、ＭＭＴフォーマットデータのＭＭＴパッケージテーブル（ＭＰＴ）、またはイベント情報テーブル（ＭＨ−ＥＩＴ）から取得される図２７に示すデータ構成を持つ音声コンポーネント記述子の記録情報をそのまま転記すればよい。
なお、記述子タグ＝０ｘＣ４は、従来のＭＰＥＧ２−ＴＳ対応のＳＩＴにおいて音声コンポーネント記述子タグとして用いられているタグである。
イベント情報テーブル（ＭＨ−ＥＩＴ）から取得した情報である。
【０２１４】
（ステップＳ７３）
ステップＳ７３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０２１５】
受信装置２０は、ステップＳ７１でＭＭＴフォーマット対応のＭＭＴパッケージテーブル（ＭＰＴ）、またはイベント情報テーブル（ＭＨ−ＥＩＴ）から取得した情報、具体的には、図２７に示す音声コンポーネント記述子を、そのままＭＭＴ対応の番組情報記録テーブル（ＭＨ−ＳＩＴ）の音声コンポーネント記述子として記録する。
なお、音声コンポーネント記述子の記録領域は、第２記述子ループ（サービス情報記述子ループ）とする。
【０２１６】
この結果、ＭＭＴ対応の番組情報記録テーブル（ＭＨ−ＳＩＴ）内に図２６（ｂ）に示すデータ構成を持つ音声コンポーネント記述子が記録される。
図２６（ｂ）に示す音声コンポーネント記述子は、図２７に示す音声コンポーネント記述子と同様のデータ構成である。記述子タグ＝０ｘ８０１４が記録され、さらに、先に、図２７〜図３０を参照して説明した、
（１ａ）ストリームコンテンツ情報（ｓｔｒｅａｍ＿ｃｏｎｔｅｎｔ）
（１ｂ）コンポーネントタイプ情報（ｃｏｍｐｏｎｅｎｔ＿ｔｙｐｅ）
（１ｃ）ストリームタイプ情報（ｓｔｒｅａｍ＿ｔｙｐｅ）
（１ｄ）音声品質識別子（ｑｕａｌｉｔｙ＿ｉｎｄｉｃａｔｏｒ）
（１ｅ）サンプリングレート（ｓａｍｐｌｉｎｇ＿ｒａｔｅ）
これらの各情報が放送局１１から受信した音声コンポーネント記述子の設定値のまま記録する。
記述子タグ＝０ｘ８０１４は、ＭＭＴフォーマットにおいて音声コンポーネント記述子タグとして用いられているタグである。
【０２１７】
（８）ハイパーリンク記述子対応情報の取得と記録処理
先に図４を参照して説明したように、ハイパーリンク記述子には、他の番組や番組内部、番組関連情報に対するリンク等の情報が記録される。また、図９に示すように、ハイパーリンク記述子に対応する記述子は、ＭＭＴフォーマット規定のテーブルには記録されていない。
【０２１８】
このハイパーリンク記述子に対応する情報は、現時点のＭＭＴフォーマットデータには定義されていないため、放送局から受信するＭＭＴフォーマットデータからのハイパーリンク記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するハイパーリンク記述子の記録処理は実行しない設定とする。
【０２１９】
なお、ＭＭＴ対応の番組情報記録テーブル（ＭＨ−ＳＩＴ）と、ＭＰＥＧ−２ＴＳ対応の番組情報記録テーブル（ＳＩＴ）には、ハイパーリンク記述子の記述子タグ等の形式的情報のみを記録し、実体情報は記録しない構成、あるいはハイパーリンク記述子の記述子タグ等の形式的情報についても記録しない設定としてもよい。
【０２２０】
（９）データコンテンツ記述子対応情報の取得と記録処理
次に、図３１を参照して放送局から受信するＭＭＴフォーマットデータからのデータコンテンツ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するデータコンテンツ記述子の記録処理について説明する。
なお、先に図４を参照して説明したように、データコンテンツ記述子には、データコンテンツに関する詳細情報等の情報が記録される。また、図９に示すように、データコンテンツ記述子に対応する記述子は、ＭＭＴフォーマット規定のテーブルに記録されていない。
【０２２１】
図３１には、受信装置２０が実行する処理ステップＳ９１〜Ｓ９３と、これらの処理結果として生成される番組情報記録テーブル（ＭＨ−ＳＩＴ）内のデータコンテンツ記述子の記録例を示している。
【０２２２】
受信装置２０が、放送局から受信するＭＭＴフォーマットデータに記録されたデータコンテンツ記述子対応情報は、ＭＰＥＧ２−ＴＳにおいて規定されるデータコンテンツ記述子との互換性がないため、ＭＰＥＧ２−ＴＳ対応の番組情報記録テーブル（ＳＩＴ）には、放送局から受信するＭＭＴフォーマットデータから取得した情報に基づくデータコンテンツ記述子の記録処理は行わない。
【０２２３】
一方、受信装置２０が、放送局から受信するＭＭＴフォーマットデータに基づいてＭＭＴ対応の番組情報記録テーブル（ＭＨ−ＳＩＴ）を生成する場合は、ステップＳ９１、ステップＳ９３の処理を実行する。この処理結果として、ＭＭＴ対応の番組情報記録テーブル（ＭＨ−ＳＩＴ）内に図３１（ｂ）に示すデータ構成を持つデータコンテンツ記述子が記録される。
【０２２４】
各ステップの処理について説明する。
（ステップＳ９１）
まず、ステップＳ９１において、受信装置２０は放送局１１から受信するＭＭＴフォーマットデータの制御情報（ＳＩ）からＭＭＴパッケージテーブル（ＭＰＴ）を取得し、このＭＭＴパッケージテーブル（ＭＰＴ）から、番組情報記録テーブル（ＭＨ−ＳＩＴ（セレクション情報テーブル））に記録するデータコンテンツ記述子に対応する情報を取得する。
【０２２５】
先に図８を参照して説明したように、ＭＭＴパッケージテーブル（ＭＰＴ）は、ＭＭＴ制御情報（ＭＭＴ−ＳＩ）に含まれるテーブルであり、コンテンツ（番組等）パッケージの構成要素となるアセット（画像、音声、字幕等）のリストや、位置などのパッケージ構成情報を記録したテーブルである。
【０２２６】
受信装置２０は、このＭＭＴパッケージテーブル（ＭＰＴ）から、番組情報記録テーブル（ＭＨ−ＳＩＴ（セレクション情報テーブル））に記録するデータコンテンツ記述子に対応する情報を取得する。具体的には、データコンテンツに関する詳細情報を取得する。
【０２２７】
ＭＭＴパッケージテーブル（ＭＰＴ）から取得可能なデータコンテンツに関する詳細情報の一部の例を図３２に示す。図３２に示す例は、番組の字幕に関する情報の例である。ＭＭＴパッケージテーブル（ＭＰＴ）には、この字幕の情報の他、データコンテンツ記述子に対応する様々なコンテンツ（番組）関連詳細情報が記録されており、受信装置２０は、ステップＳ９１において、これらの情報をＭＭＴパッケージテーブル（ＭＰＴ）から取得する。
【０２２８】
（ステップＳ９２）
ステップＳ９２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２２９】
前述したように、放送局から受信するＭＭＴフォーマットデータに記録されたデータコンテンツ記述子対応情報は、ＭＰＥＧ２−ＴＳにおいて規定されるデータコンテンツ記述子との互換性がないため、ＭＰＥＧ２−ＴＳ対応の番組情報記録テーブル（ＳＩＴ）には、放送局から受信するＭＭＴフォーマットデータから取得した情報に基づくデータコンテンツ記述子の記録処理は行わない。
【０２３０】
この場合、受信装置２０は、ＭＰＥＧ−２ＴＳ対応の番組情報記録テーブル（ＳＩＴ）には、データコンテンツ記述子の記述子タグ等の形式的情報のみを記録し、実体情報は記録しない処理、あるいはデータコンテンツ記述子の記述子タグ等の形式的情報についても記録しない処理のいずれかを行う。
【０２３１】
（ステップＳ９３）
ステップＳ９３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０２３２】
この場合、受信装置２０は、ステップＳ９１でＭＭＴフォーマット対応のＭＭＴパッケージテーブル（ＭＰＴ）から取得した情報を利用して、ＭＭＴ対応の番組情報記録テーブル（ＭＨ−ＳＩＴ）にデータコンテンツ記述子を記録する。
なお、データコンテンツ記述子の記録領域は、第２記述子ループ（サービス情報記述子ループ）とする。
【０２３３】
この結果、ＭＭＴ対応の番組情報記録テーブル（ＭＨ−ＳＩＴ）内に図３１（ｂ）に示すデータ構成を持つデータコンテンツ記述子が記録される。
図３１（ｂ）に示すデータコンテンツ記述子の記述子タグ（ｄｅｓｃｒｉｐｔｏｒ＿ｔａｇ）には、ＭＭＴフォーマットにおいてデータコンテンツ記述子タグとして用いられているタグを記録する。
【０２３４】
さらに、追加データコンポーネント情報（ａｄｄｉｔｉｏｎａｌ＿ｄａｔａ＿ｃｏｍｐｏｎｅｎｔ＿ｉｎｆｏ）記録領域に、ステップＳ９１においてＭＭＴパッケージテーブル（ＭＰＴ）から取得した情報を記録する。
【０２３５】
（１０）スタッフ記述子対応情報の取得と記録処理
次に、図３３を参照して放送局から受信するＭＭＴフォーマットデータからのスタッフ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するスタッフ記述子の記録処理について説明する。
なお、先に図４を参照して説明したように、スタッフ記述子は、記述子スペースの確保用のデータ、記述子の無効化情報等の情報が記録される。また、図１０に示すように、スタッフ記述子に対応する記述子は、ＭＭＴフォーマット規定のテーブルに記録されていない。
【０２３６】
図３３には、受信装置２０が実行する処理ステップＳ１０１〜Ｓ１０３と、これらの処理結果として生成される番組情報記録テーブル（ＭＨ−ＳＩＴ）内のスタッフ記述子の記録例を示している。
【０２３７】
スタッフ記述子は、予め規定された記述子記録スペースを確保するために利用され、例えば有効情報の記録領域以外の余りの領域が発生した場合、ダミーデータとしてのスタッフィングバイト、例えば、［００００・・・］等のスタッフィングバイトを記録する領域である。
【０２３８】
例えば、先に図１２の（処理１）において説明した「（２）ＭＨ−ＥＩＴ格納パケットのデータをＭＨ−ＳＩＴで上書き」する処理を行う場合、元々のＭＨ−ＥＩＴ格納パケットのサイズを変更してしまうと、後続するパケットのパケット開始位置にずれが発生してしまう。このような事態を防止するため、「ＭＨ−ＥＩＴ格納パケットのデータをＭＨ−ＳＩＴで上書き」する場合、元のＭＨ−ＥＩＴ格納パケットのパケットサイズと同じパケットサイズにするためスタッフィングバイトを記録したスタッフ記述子を記録する。
【０２３９】
この処理は、「ＭＨ−ＥＩＴ格納パケットのデータをＭＨ−ＳＩＴで上書き」する場合等、記述子記録領域やパケットサイズの調整が必要な場合にのみに実行され、その他の場合は、このスタッフ記述子の記録は不要である。
【０２４０】
各ステップの処理について説明する。
（ステップＳ１０１）
まず、ステップＳ１０１において、受信装置２０はＭＭＴ対応のＭＨ−ＳＩＴ格納パケット（ＭＭＴパケット）の記述子記録領域やパケットサイズ調整が必要な場合、調整バイト数（スタッフィングバイト）を算出する処理を行う。
【０２４１】
（ステップＳ１０２）
ステップＳ１０２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２４２】
前述したように、スタッフ記述子の記録は、「ＭＨ−ＥＩＴ格納パケットのデータをＭＨ−ＳＩＴで上書き」する場合等、記述子記録領域やパケットサイズの調整が必要な場合にのみに必要となる処理であり、ＭＰＥＧ２−ＴＳ対応の番組情報記録テーブル（ＳＩＴ）を生成する場合は不要な処理となる。
【０２４３】
従って、ＭＰＥＧ２−ＴＳ対応の番組情報記録テーブル（ＳＩＴ）には、スタッフ記述子の記録処理は行わない。この場合、受信装置２０は、ＭＰＥＧ−２ＴＳ対応の番組情報記録テーブル（ＳＩＴ）には、スタッフ記述子の記述子タグ等の形式的情報のみを記録し、実体情報は記録しない処理、あるいはスタッフ記述子の記述子タグ等の形式的情報についても記録しない処理のいずれかを行う。
【０２４４】
（ステップＳ１０３）
ステップＳ１０３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０２４５】
この場合、受信装置２０は、ＭＭＴ対応の番組情報記録テーブル（ＭＨ−ＳＩＴ）の第１ループ、第２ループ少なくともいずれかに、ステップＳ１０１において算出した調整バイト数のスタッフィングバイトを含むスタッフ記述子を記録する。
【０２４６】
この結果、ＭＭＴ対応の番組情報記録テーブル（ＭＨ−ＳＩＴ）内に図３３（ｂ）に示すデータ構成を持つスタッフ記述子が記録される。
図３３（ｂ）に示すスタッフ記述子には、記述子タグ＝０ｘＦＣ００が記録される。
現時点で、ＭＭＴフォーマットにおける記述子タグとして、０ｘ８００Ｂ、０ｘ８００Ｅ−Ｆ、０ｘ８０２２、０ｘ８０４３−０ｘＥＢＦＦ、０ｘＥＣ００−０ｘＥＦＦＦ、および０ｘＦ００４−０ｘＦＢＦＦ、０ｘＦＣ００−０ｘＦＦＦＦがリザーブ（空き）状態にある。
現時点で、ＭＭＴフォーマットでは、記述子タグについての規定がないため、これらのリザーブされたタグの一つを選択して、記述子タグ＝０ｘＦＣ００を、ＭＭＴフォーマットのスタッフ記述子タグとして用いる。
【０２４７】
さらに、スタッフィングバイト（ｓｔｕｆｆｉｎｇ＿ｂｙｔｅ）記録領域には、ステップＳ１０１において算出した調整バイト数のスタッフィングバイトを記録する。
【０２４８】
（１１）パーシャルトランスポートストリーム記述子対応情報の取得と記録処理
先に図４を参照して説明したように、パーシャルトランスポートストリーム記述子には、パーシャルＴＳのストリーム情報、例えば最大ビットレート情報等が記録される。また、図９に示すように、パーシャルトランスポートストリーム記述子に対応する記述子は、ＭＭＴフォーマット規定のテーブルに記録されていない。
【０２４９】
このパーシャルトランスポートストリーム記述子に対応する情報は、ＭＭＴフォーマットデータには定義されていないため、放送局から受信するＭＭＴフォーマットデータからのパーシャルトランスポートストリーム記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するパーシャルトランスポートストリーム記述子の記録処理は実行しない設定とする。
【０２５０】
ただし、受信装置２０は、ＭＰＥＧ−２ＴＳ対応の番組情報記録テーブル（ＳＩＴ）を生成して送信する場合、生成したＴＳパケット列に格納したデータの最大ビットレート情報等を算出して算出値をＭＰＥＧ−２ＴＳ対応の番組情報記録テーブル（ＳＩＴ）のパーシャルトランスポートストリーム記述子に記録する処理を行ってもよい。
あるいは、パーシャルトランスポートストリーム記述子の記述子タグ等の形式的情報のみを記録し、実体情報は記録しない処理、あるいはパーシャルトランスポートストリーム記述子の記述子タグ等の形式的情報についても記録しない処理を行ってもよい。
【０２５１】
（１２）イベントグループ記述子対応情報の取得と記録処理
次に、図３４、図３５を参照して放送局から受信するＭＭＴフォーマットデータからのイベントグループ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するイベントグループ記述子の記録処理について説明する。
なお、先に図４を参照して説明したように、イベントグループ記述子には、イベント共有時の同一内容イベントのグループ化、および、イベントリレーのリンク情報等の情報が記録される。また、図９に示すように、イベントグループ記述子に対応する記述子は、ＭＭＴフォーマット規定のイベント情報テーブル（ＭＨ−ＥＩＴ）に記録されている。
【０２５２】
図３４には、受信装置２０が実行する処理ステップＳ１２１〜Ｓ１２３を示し、図３５には、これらの処理結果として生成される番組情報記録テーブル（ＭＨ−ＳＩＴ，ＳＩＴ）内のイベントグループ記述子の記録例を示している。
【０２５３】
受信装置２０が、放送局から受信するＭＭＴフォーマットデータに基づいてＭＰＥＧ２−ＴＳ対応の番組情報記録テーブル（ＳＩＴ）を生成する場合は、ステップＳ１２１、ステップＳ１２２の処理を実行する。この処理結果として、ＭＰＥＧ２−ＴＳ対応の番組情報記録テーブル（ＳＩＴ）内に図３５（ａ）に示すデータ構成を持つイベントグループ記述子が記録される。
【０２５４】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１２１、ステップＳ１２３の処理を実行する。この処理結果として、ＭＭＴ対応の番組情報記録テーブル（ＭＨ−ＳＩＴ）内に図３５（ｂ）に示すデータ構成を持つイベントグループ記述子が記録される。
【０２５５】
各ステップの処理について説明する。
（ステップＳ１２１）
まず、ステップＳ１２１において、受信装置２０は放送局１１から受信するＭＭＴフォーマットデータの制御情報（ＳＩ）からイベント情報テーブル（ＭＨ−ＥＩＴ）を取得し、このイベント情報テーブル（ＭＨ−ＥＩＴ）から、番組情報記録テーブル（ＭＨ−ＳＩＴ、ＳＩＴ（セレクション情報テーブル））に記録するイベントグループ記述子に対応する情報を取得する。
【０２５６】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
受信装置２０は、このイベント情報テーブル（ＭＨ−ＥＩＴ）から、番組情報記録テーブル（ＭＨ−ＳＩＴ、ＳＩＴ（セレクション情報テーブル））に記録するイベントグループ記述子に対応する情報を取得する。
【０２５７】
具体的には、イベント共有時の同一内容イベントのグループ化、および、イベントリレーのリンク情報等の情報であり、例えば、図３４の下部に示す表の内容に対応するグループタイプを示す値等を取得する。このイベントグループ記述子の設定はＭＭＴ、ＭＰＥＧ２−ＴＳ各フォーマットにおいて共通である。
【０２５８】
（ステップＳ１２２）
ステップＳ１２２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２５９】
この場合、受信装置２０は、ステップＳ１２１でＭＭＴフォーマット対応のイベント情報テーブル（ＭＨ−ＥＩＴ）から取得した情報を利用して、ＭＰＥＧ２−ＴＳ対応の番組情報記録テーブル（ＳＩＴ）にイベントグループ記述子を記録する。
なお、イベントグループ記述子の記録領域は、第２記述子ループ（サービス情報記述子ループ）とする。
【０２６０】
この結果、ＭＰＥＧ２−ＴＳ対応の番組情報記録テーブル（ＳＩＴ）内に図３５（ａ）に示すデータ構成を持つイベントグループ記述子が記録される。
図３５（ａ）に示すイベントグループ記述子には、記述子タグ＝０ｘＤ６が記録され、さらに、イベントグループに関するサービスＩＤ、イベントＩＤ等の情報が記録される。
記述子タグ＝０ｘＤ６は、従来のＭＰＥＧ２−ＴＳ対応のＳＩＴにおいてイベントグループ記述子タグとして用いられているタグである。
イベントグループに関するサービスＩＤ、イベントＩＤ等の情報は、ステップＳ１２１でＭＭＴフォーマット対応のイベント情報テーブル（ＭＨ−ＥＩＴ）から取得した情報である。
【０２６１】
（ステップＳ１２３）
ステップＳ１２３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０２６２】
この場合、受信装置２０は、ステップＳ１２１でＭＭＴフォーマット対応のイベント情報テーブル（ＭＨ−ＥＩＴ）から取得した情報を利用して、ＭＭＴ対応の番組情報記録テーブル（ＭＨ−ＳＩＴ）にイベントグループ記述子を記録する。
なお、イベントグループ記述子の記録領域は、第２記述子ループ（サービス情報記述子ループ）とする。
【０２６３】
この結果、ＭＭＴ対応の番組情報記録テーブル（ＭＨ−ＳＩＴ）内に図３５（ｂ）に示すデータ構成を持つイベントグループ記述子が記録される。
図３５（ｂ）に示すイベントグループ記述子には、記述子タグ＝０ｘ８００Ｃが記録され、さらに、イベントグループに関するサービスＩＤ、イベントＩＤ等の情報が記録される。
記述子タグ＝０ｘ８００Ｃは、ＭＭＴフォーマットにおいてイベントグループ記述子タグとして用いられているタグである。
イベントグループに関するサービスＩＤ、イベントＩＤ等の情報は、ステップＳ１２１でＭＭＴフォーマット対応のイベント情報テーブル（ＭＨ−ＥＩＴ）から取得した情報である。
【０２６４】
（１３）ブロードキャスタ名記述子対応情報の取得と記録処理
次に、図３６を参照して放送局から受信するＭＭＴフォーマットデータからのブロードキャスタ名記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するブロードキャスタ名記述子の記録処理について説明する。
なお、先に図４を参照して説明したように、ブロードキャスタ名記述子には、ブロードキャスタ名（放送局名）等の情報が記録される。また、図９に示すように、ブロードキャスタ名記述子に対応する記述子は、ＭＭＴフォーマット規定のブロードキャスタ情報テーブル（ＭＨ−ＢＩＴ）に記録されている。
【０２６５】
図３６には、受信装置２０が実行する処理ステップＳ１３１〜Ｓ１３３と、これらの処理結果として生成される番組情報記録テーブル（ＭＨ−ＳＩＴ，ＳＩＴ）内のブロードキャスタ名記述子の記録例を示している。
【０２６６】
受信装置２０が、放送局から受信するＭＭＴフォーマットデータに基づいてＭＰＥＧ２−ＴＳ対応の番組情報記録テーブル（ＳＩＴ）を生成する場合は、ステップＳ１３１、ステップＳ１３２の処理を実行する。この処理結果として、ＭＰＥＧ２−ＴＳ対応の番組情報記録テーブル（ＳＩＴ）内に図３６（ａ）に示すデータ構成を持つブロードキャスタ名記述子が記録される。
【０２６７】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１３１、ステップＳ１３３の処理を実行する。この処理結果として、ＭＭＴ対応の番組情報記録テーブル（ＭＨ−ＳＩＴ）内に図３６（ｂ）に示すデータ構成を持つブロードキャスタ名記述子が記録される。
【０２６８】
各ステップの処理について説明する。
（ステップＳ１３１）
まず、ステップＳ１３１において、受信装置２０は放送局１１から受信するＭＭＴフォーマットデータの制御情報（ＳＩ）からブロードキャスタ情報テーブル（ＭＨ−ＢＩＴ）を取得し、このブロードキャスタ情報テーブル（ＭＨ−ＢＩＴ）から、番組情報記録テーブル（ＭＨ−ＳＩＴ、ＳＩＴ（セレクション情報テーブル））に記録するブロードキャスタ名記述子に対応する情報を取得する。
【０２６９】
先に図８を参照して説明したように、ブロードキャスタ情報テーブル（ＭＨ−ＢＩＴ）は、ＭＭＴ制御情報（ＭＭＴ−ＳＩ）に含まれるテーブルであり、ネットワーク上のブロードキャスタの情報を記録したテーブルである。
受信装置２０は、このブロードキャスタ情報テーブル（ＭＨ−ＢＩＴ）から、番組情報記録テーブル（ＭＨ−ＳＩＴ、ＳＩＴ（セレクション情報テーブル））に記録するブロードキャスタ名記述子に対応する情報を取得する。
具体的には、ブロードキャスタ名（放送局名）等の情報を取得する。
【０２７０】
（ステップＳ１３２）
ステップＳ１３２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２７１】
この場合、受信装置２０は、ステップＳ１３１でＭＭＴフォーマット対応のブロードキャスタ情報テーブル（ＭＨ−ＢＩＴ）から取得した情報を利用して、ＭＰＥＧ２−ＴＳ対応の番組情報記録テーブル（ＳＩＴ）にブロードキャスタ名記述子を記録する。
なお、ブロードキャスタ名記述子の記録領域は、第２記述子ループ（サービス情報記述子ループ）とする。
【０２７２】
この結果、ＭＰＥＧ２−ＴＳ対応の番組情報記録テーブル（ＳＩＴ）内に図３６（ａ）に示すデータ構成を持つブロードキャスタ名記述子が記録される。
図３６（ａ）に示すブロードキャスタ名記述子には、記述子タグ＝０ｘＤ８が記録され、さらに、ブロードキャスタ名（放送局名）等の情報が記録される。
記述子タグ＝０ｘＤ８は、従来のＭＰＥＧ２−ＴＳ対応のＳＩＴにおいてブロードキャスタ名記述子タグとして用いられているタグである。
ブロードキャスタ名（放送局名）等の情報は、ステップＳ１３１でＭＭＴフォーマット対応のブロードキャスタ情報テーブル（ＭＨ−ＢＩＴ）から取得した情報である。
【０２７３】
（ステップＳ１３３）
ステップＳ１３３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０２７４】
この場合、受信装置２０は、ステップＳ１３１でＭＭＴフォーマット対応のブロードキャスタ情報テーブル（ＭＨ−ＢＩＴ）から取得した情報を利用して、ＭＭＴ対応の番組情報記録テーブル（ＭＨ−ＳＩＴ）にブロードキャスタ名記述子を記録する。
なお、ブロードキャスタ名記述子の記録領域は、第２記述子ループ（サービス情報記述子ループ）とする。
【０２７５】
この結果、ＭＭＴ対応の番組情報記録テーブル（ＭＨ−ＳＩＴ）内に図３６（ｂ）に示すデータ構成を持つブロードキャスタ名記述子が記録される。
図３６（ｂ）に示すブロードキャスタ名記述子には、記述子タグ＝０ｘ８０１８が記録され、さらに、ブロードキャスタ名（放送局名）等の情報が記録される。
記述子タグ＝０ｘ８０１８は、ＭＭＴフォーマットにおいてブロードキャスタ名記述子タグとして用いられているタグである。
ブロードキャスタ名（放送局名）等の情報は、ステップＳ１３１でＭＭＴフォーマット対応のブロードキャスタ情報テーブル（ＭＨ−ＢＩＴ）から取得した情報である。
【０２７６】
（１４）コンポーネントグループ記述子対応情報の取得と記録処理
先に図４を参照して説明したように、コンポーネントグループ記述子には、マルチビューテレビ（ＭＶＴＶ）におけるコンポーネントグループ等の情報が記録される。また、図９に示すように、コンポーネントグループ記述子に対応する記述子は、ＭＭＴフォーマット規定のテーブルに記録されていない。
【０２７７】
このコンポーネントグループ記述子に対応する情報は、現時点のＭＭＴフォーマットデータには定義されていないため、放送局から受信するＭＭＴフォーマットデータからのコンポーネントグループ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するコンポーネントグループ記述子の記録処理は実行しない設定とする。
【０２７８】
なお、ＭＭＴ対応の番組情報記録テーブル（ＭＨ−ＳＩＴ）と、ＭＰＥＧ−２ＴＳ対応の番組情報記録テーブル（ＳＩＴ）には、コンポーネントグループ記述子の記述子タグ等の形式的情報のみを記録し、実体情報は記録しない構成、あるいはコンポーネントグループ記述子の記述子タグ等の形式的情報についても記録しない設定としてもよい。
【０２７９】
（１５）シリーズ記述子対応情報の取得と記録処理
次に、図３７、図３８を参照して放送局から受信するＭＭＴフォーマットデータからのシリーズ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するシリーズ記述子の記録処理について説明する。
なお、先に図４を参照して説明したように、シリーズ記述子には、複数イベントにまたがるシリーズ情報等の情報が記録される。また、図９に示すように、シリーズ記述子に対応する記述子は、ＭＭＴフォーマット規定のイベント情報テーブル（ＭＨ−ＥＩＴ）に記録されている。
【０２８０】
図３７には、受信装置２０が実行する処理ステップＳ１５１〜Ｓ１５３を示し、図３８には、これらの処理結果として生成される番組情報記録テーブル（ＭＨ−ＳＩＴ，ＳＩＴ）内のシリーズ記述子の記録例を示している。
【０２８１】
受信装置２０が、放送局から受信するＭＭＴフォーマットデータに基づいてＭＰＥＧ２−ＴＳ対応の番組情報記録テーブル（ＳＩＴ）を生成する場合は、ステップＳ１５１、ステップＳ１５２の処理を実行する。この処理結果として、ＭＰＥＧ２−ＴＳ対応の番組情報記録テーブル（ＳＩＴ）内に図３８（ａ）に示すデータ構成を持つシリーズ記述子が記録される。
【０２８２】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１５１、ステップＳ１５３の処理を実行する。この処理結果として、ＭＭＴ対応の番組情報記録テーブル（ＭＨ−ＳＩＴ）内に図３８（ｂ）に示すデータ構成を持つシリーズ記述子が記録される。
【０２８３】
各ステップの処理について説明する。
（ステップＳ１５１）
まず、ステップＳ１５１において、受信装置２０は放送局１１から受信するＭＭＴフォーマットデータの制御情報（ＳＩ）からイベント情報テーブル（ＭＨ−ＥＩＴ）を取得し、このイベント情報テーブル（ＭＨ−ＥＩＴ）から、番組情報記録テーブル（ＭＨ−ＳＩＴ、ＳＩＴ（セレクション情報テーブル））に記録するシリーズ記述子に対応する情報を取得する。
【０２８４】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
受信装置２０は、このイベント情報テーブル（ＭＨ−ＥＩＴ）から、番組情報記録テーブル（ＭＨ−ＳＩＴ、ＳＩＴ（セレクション情報テーブル））に記録するシリーズ記述子に対応する情報を取得する。具体的には、複数イベントにまたがるシリーズ情報等を取得する。このシリーズ記述子の設定はＭＭＴ、ＭＰＥＧ２−ＴＳ各フォーマットにおいて共通である。
【０２８５】
（ステップＳ１５２）
ステップＳ１５２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２８６】
この場合、受信装置２０は、ステップＳ１５１でＭＭＴフォーマット対応のイベント情報テーブル（ＭＨ−ＥＩＴ）から取得した情報を利用して、ＭＰＥＧ２−ＴＳ対応の番組情報記録テーブル（ＳＩＴ）にシリーズ記述子を記録する。
なお、シリーズ記述子の記録領域は、第２記述子ループ（サービス情報記述子ループ）とする。
【０２８７】
この結果、ＭＰＥＧ２−ＴＳ対応の番組情報記録テーブル（ＳＩＴ）内に図３８（ａ）に示すデータ構成を持つシリーズ記述子が記録される。
図３８（ａ）に示すシリーズ記述子には、記述子タグ＝０ｘＤ５が記録され、さらに、複数イベントにまたがるシリーズ情報等の情報が記録される。
記述子タグ＝０ｘＤ５は、従来のＭＰＥＧ２−ＴＳ対応のＳＩＴにおいてシリーズ記述子タグとして用いられているタグである。
複数イベントにまたがるシリーズ情報としては、シリーズＩＤ、再放送回数、プログラムパターン、シリーズ名等が記録される。プログラムパターン記録領域には、図３８下部に示す情報に対応した値が記録される。これらの情報は、ステップＳ１５１でＭＭＴフォーマット対応のイベント情報テーブル（ＭＨ−ＥＩＴ）から取得した情報である。
【０２８８】
（ステップＳ１５３）
ステップＳ１５３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０２８９】
この場合、受信装置２０は、ステップＳ１５１でＭＭＴフォーマット対応のイベント情報テーブル（ＭＨ−ＥＩＴ）から取得した情報を利用して、ＭＭＴ対応の番組情報記録テーブル（ＭＨ−ＳＩＴ）にシリーズ記述子を記録する。
なお、シリーズ記述子の記録領域は、第２記述子ループ（サービス情報記述子ループ）とする。
【０２９０】
この結果、ＭＭＴ対応の番組情報記録テーブル（ＭＨ−ＳＩＴ）内に図３８（ｂ）に示すデータ構成を持つシリーズ記述子が記録される。
図３８（ｂ）に示すシリーズ記述子には、記述子タグ＝０ｘ８０１６が記録され、さらに、複数イベントにまたがるシリーズ情報等の情報が記録される。
記述子タグ＝０ｘ８０１６は、ＭＭＴフォーマットにおいてシリーズ記述子タグとして用いられているタグである。
複数イベントにまたがるシリーズ情報の記録情報はＭＰＥＧ２−ＴＳと同様の情報であり、ＭＭＴフォーマット対応のイベント情報テーブル（ＭＨ−ＥＩＴ）から取得した情報である。
【０２９１】
（１６）ネットワーク識別記述子対応情報の取得と記録処理
次に、図３９を参照して放送局から受信するＭＭＴフォーマットデータからのネットワーク識別記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するネットワーク識別記述子の記録処理について説明する。
なお、先に図４を参照して説明したように、ネットワーク識別記述子には、パーシャルＴＳ（トランスポートストリーム）の生成元のネットワーク情報が記録される。また、図９に示すように、コンポーネント記述子に対応する記述子は、ＭＭＴフォーマット規定のイベント情報テーブル（ＭＨ−ＥＩＴ）に記録されている。
【０２９２】
図３９には、受信装置２０が実行する処理ステップＳ１６１〜Ｓ１６３と、これらの処理結果として生成される番組情報記録テーブル（ＳＩＴ）内のネットワーク識別記述子の記録例を示している。
なお、ネットワーク識別記述子は、上述のように、パーシャルＴＳ（トランスポートストリーム）の生成元のネットワーク情報であり、ＭＰＥＧ２−ＴＳフォーマットに従ったＴＳパケット列を送信する場合に必要となる情報である。
ＭＭＴフォーマットに従ったＭＭＴパケット列から構成されるデータを送信する場合には不要な情報である。
【０２９３】
従って、受信装置２０が、放送局から受信するＭＭＴフォーマットデータに基づいてＭＰＥＧ２−ＴＳ対応の番組情報記録テーブル（ＳＩＴ）を生成する場合は、ステップＳ１６１、ステップＳ１６２の処理を実行して、ＭＰＥＧ２−ＴＳ対応の番組情報記録テーブル（ＳＩＴ）内に図３９（ａ）に示すデータ構成を持つネットワーク識別記述子が記録される。
【０２９４】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１６１、ステップＳ１６３の処理を実行する。この場合、ＭＭＴ対応の番組情報記録テーブル（ＭＨ−ＳＩＴ）内には、ネットワーク識別記述子は記録しない。
【０２９５】
各ステップの処理について説明する。
（ステップＳ１６１）
まず、ステップＳ１６１において、受信装置２０は放送局１１から受信するＭＭＴフォーマットデータの制御情報（ＳＩ）からイベント情報テーブル（ＭＨ−ＥＩＴ）を取得し、このイベント情報テーブル（ＭＨ−ＥＩＴ）から、番組情報記録テーブル（ＳＩＴ（セレクション情報テーブル））に記録するネットワーク識別記述子に対応する情報を取得する。
【０２９６】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。
【０２９７】
受信装置２０は、このイベント情報テーブル（ＭＨ−ＥＩＴ）から、番組情報記録テーブル（ＳＩＴ（セレクション情報テーブル））に記録するネットワーク識別記述子に対応する情報を取得する。具体的には、パーシャルＴＳ（トランスポートストリーム）の生成元のネットワーク情報等の情報を取得する。
【０２９８】
（ステップＳ１６２）
ステップＳ１６２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０２９９】
この場合、受信装置２０は、ステップＳ１６１でＭＭＴフォーマット対応のイベント情報テーブル（ＭＨ−ＥＩＴ）から取得した情報を利用して、ＭＰＥＧ２−ＴＳ対応の番組情報記録テーブル（ＳＩＴ）にネットワーク識別記述子を記録する。
なお、ネットワーク識別記述子の記録領域は、第１記述子ループ（伝送情報記述子ループ）とする。
【０３００】
この結果、ＭＰＥＧ２−ＴＳ対応の番組情報記録テーブル（ＳＩＴ）内に図３９（ａ）に示すデータ構成を持つネットワーク識別記述子が記録される。
図３９（ａ）に示すネットワーク識別記述子には、記述子タグ＝０ｘＣ２を記録する。記述子タグ＝０ｘＣ２は、従来のＭＰＥＧ２−ＴＳ対応のＳＩＴにおいてネットワーク識別記述子タグとして用いられているタグである。
【０３０１】
さらに、国コード（ｃｏｕｎｔｒｙ＿ｃｏｄｅ）、メディアタイプ（ｍｅｄｉａ＿ｔｙｐｅ）、ネットワークＩＤ（ｎｅｔｗｏｒｋ＿ｉｄ）等を記録する。これらは、ステップＳ１６１でＭＭＴフォーマット対応のイベント情報テーブル（ＭＨ−ＥＩＴ）から取得した情報である。
【０３０２】
これらの各情報の取得元となるＭＭＴフォーマット対応のイベント情報テーブル（ＭＨ−ＥＩＴ）の情報について、図４０を参照して説明する。
国コード（ｃｏｕｎｔｒｙ＿ｃｏｄｅ）は、図４０（１）に示すＭＭＴフォーマット対応のイベント情報テーブル（ＭＨ−ＥＩＴ）のＭＨ−短形式イベント記述子に記録された言語コード（ＩＳＯ＿６３９＿ｌａｎｇａｇｅ＿ｃｏｄｅ）に基づいて、この言語の示す国のコードを記録する。
【０３０３】
メディアタイプ（ｍｅｄｉａ＿ｔｙｐｅ）は、図４０（２）に示すＭＭＴフォーマット規定のＭＨ−ＥＩＴ（ＭＨイベント情報テーブル）のサービスリスト記述子、またはサービス記述子のサービスタイプ情報に記録された情報を取得して記録する。
【０３０４】
ネットワークＩＤ（ｎｅｔｗｏｒｋ＿ｉｄ）は、図４０（３）に示すＭＭＴフォーマット規定のＭＨ−ＥＩＴ（イベント情報テーブル）に記録されたオリジナルネットワークＩＤ（ｏｒｉｇｉｎａｌ＿ｎｅｔｗｏｒｋ＿ｉｄ）を取得して記録する。
【０３０５】
（ステップＳ１６３）
ステップＳ１６３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０３０６】
前述したように、ネットワーク識別記述子は、パーシャルＴＳ（トランスポートストリーム）の生成元のネットワーク情報であり、ＭＰＥＧ２−ＴＳフォーマットに従ったＴＳパケット列を送信する場合に必要となる情報である。ＭＭＴフォーマットに従ったＭＭＴパケット列から構成されるデータを送信する場合には不要な情報である。
【０３０７】
従って、受信装置２０が、放送局から受信するＭＭＴフォーマットデータに基づいてＭＭＴ対応の番組情報記録テーブル（ＭＨ−ＳＩＴ）を生成する場合は、ＭＭＴ対応の番組情報記録テーブル（ＭＨ−ＳＩＴ）内には、ネットワーク識別記述子は記録しない。
【０３０８】
（１７）パーシャルトランスポートストリームタイム記述子対応情報の取得と記録処理
次に、図４１を参照して放送局から受信するＭＭＴフォーマットデータからのパーシャルトランスポートストリームタイム記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対するパーシャルトランスポートストリームタイム記述子の記録処理について説明する。
なお、先に図４を参照して説明したように、パーシャルトランスポートストリームタイム記述子には、パーシャルＴＳ（トランスポートストリーム）の生成時間情報が記録される。また、図９に示すように、パーシャルトランスポートストリームタイム記述子に対応する記述子は、ＭＭＴフォーマット規定のテーブルに記録されていない。
【０３０９】
ＭＭＴフォーマット規定のテーブルにパーシャルトランスポートストリームタイム記述子と同じ記述子は設定されていないが、パーシャルトランスポートストリームタイム記述子の実体データと同様のデータは各テーブルから取得することができる。
【０３１０】
図４１には、受信装置２０が実行する処理ステップＳ１７１〜Ｓ１７３と、これらの処理結果として生成される番組情報記録テーブル（ＳＩＴ）内のパーシャルトランスポートストリームタイム記述子の記録例を示している。
なお、パーシャルトランスポートストリームタイム記述子は、上述のように、パーシャルＴＳ（トランスポートストリーム）の生成時間情報であり、ＭＰＥＧ２−ＴＳフォーマットに従ったＴＳパケット列を送信する場合に必要となる情報である。
ＭＭＴフォーマットに従ったＭＭＴパケット列から構成されるデータを送信する場合には不要な情報である。
【０３１１】
従って、受信装置２０が、放送局から受信するＭＭＴフォーマットデータに基づいてＭＰＥＧ２−ＴＳ対応の番組情報記録テーブル（ＳＩＴ）を生成する場合は、ステップＳ１７１、ステップＳ１７２の処理を実行して、ＭＰＥＧ２−ＴＳ対応の番組情報記録テーブル（ＳＩＴ）内に図４１（ａ）に示すデータ構成を持つパーシャルトランスポートストリームタイム記述子が記録される。
【０３１２】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１７１、ステップＳ１７３の処理を実行する。この場合、ＭＭＴ対応の番組情報記録テーブル（ＭＨ−ＳＩＴ）内には、パーシャルトランスポートストリームタイム記述子は記録しない。
【０３１３】
各ステップの処理について説明する。
（ステップＳ１７１）
まず、ステップＳ１７１において、受信装置２０は放送局１１から受信するＭＭＴフォーマットデータの制御情報（ＳＩ）からイベント情報テーブル（ＭＨ−ＥＩＴ）と、タイムオフセットテーブル（ＭＨ−ＴＯＴ）を取得し、これらのイベント情報テーブル（ＭＨ−ＥＩＴ）と、タイムオフセットテーブル（ＭＨ−ＴＯＴ）から、番組情報記録テーブル（ＳＩＴ（セレクション情報テーブル））に記録するパーシャルトランスポートストリームタイム記述子に対応する情報を取得する。
【０３１４】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。また、タイムオフセットテーブル（ＭＨ−ＴＯＴ）は、ＭＭＴ制御情報（ＭＭＴ−ＳＩ）に含まれるテーブルであり、現在の日付、時刻情報等の日時関連情報を記録したテーブルである。
【０３１５】
受信装置２０は、これらのイベント情報テーブル（ＭＨ−ＥＩＴ）とタイムオフセットテーブル（ＭＨ−ＴＯＴ）から、番組情報記録テーブル（ＳＩＴ（セレクション情報テーブル））に記録するパーシャルトランスポートストリームタイム記述子に対応する情報を取得する。具体的には、パーシャルＴＳ（トランスポートストリーム）の生成時間情報を取得する。
【０３１６】
（ステップＳ１７２）
ステップＳ１７２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０３１７】
この場合、受信装置２０は、ステップＳ１７１でＭＭＴフォーマット対応のイベント情報テーブル（ＭＨ−ＥＩＴ）とタイムオフセットテーブル（ＭＨ−ＴＯＴ）から取得した情報を利用して、ＭＰＥＧ２−ＴＳ対応の番組情報記録テーブル（ＳＩＴ）にパーシャルトランスポートストリームタイム記述子を記録する。
なお、パーシャルトランスポートストリームタイム記述子の記録領域は、第１記述子ループ（伝送情報記述子ループ）、または第２記述子ループ（サービス情報記述子ループ）とする。
【０３１８】
この結果、ＭＰＥＧ２−ＴＳ対応の番組情報記録テーブル（ＳＩＴ）内に図４１（ａ）に示すデータ構成を持つパーシャルトランスポートストリームタイム記述子が記録される。
図４１（ａ）に示すパーシャルトランスポートストリームタイム記述子には、記述子タグ＝０ｘＣ３を記録する。記述子タグ＝０ｘＣ３は、従来のＭＰＥＧ２−ＴＳ対応のＳＩＴにおいてパーシャルトランスポートストリームタイム記述子タグとして用いられているタグである。
【０３１９】
さらに、イベントのバージョン（ｅｖｅｎｔ＿ｖｅｒｓｉｏｎ＿ｎｕｍｂｅｒ）、テイベント開始時刻（ｅｖｅｎｔ＿ｓｔａｒｔ＿ｔｉｍｅ）、イベント継続時間（Ｄｕｒａｔｉｏｎ）等の情報が記録される。さらに、夏時間の時間差を示すオフセット（Ｏｆｆｓｅｔ）、オフセットの時間前（０）が後（１）を示すオフセットフラグ（ｏｆｆｓｅｔ＿ｆｌａｇ）、他のＳＩＴの記述子（ｄｅｓｃｒｉｐｔｏｒ）の変更状況（ｏｔｈｅｒ＿ｄｅｓｃｒｉｐｔｏｒ＿ｓｔａｔｕｓ）等を記録する。これらは、ステップＳ１７１でＭＭＴフォーマット対応のイベント情報テーブル（ＭＨ−ＥＩＴ）とタイムオフセットテーブル（ＭＨ−ＴＯＴ）から取得した情報である。
【０３２０】
これらの各情報の取得元となるＭＭＴフォーマット対応のイベント情報テーブル（ＭＨ−ＥＩＴ）とタイムオフセットテーブル（ＭＨ−ＴＯＴ）の情報について、図４２を参照して説明する。
【０３２１】
イベントのバージョン（ｅｖｅｎｔ＿ｖｅｒｓｉｏｎ＿ｎｕｍｂｅｒ）、イベント開始時刻（ｅｖｅｎｔ＿ｓｔａｒｔ＿ｔｉｍｅ）、イベント継続時間（Ｄｕｒａｔｉｏｎ）等の情報は、図４２（１）に示すＭＭＴフォーマット対応のイベント情報テーブル（ＭＨ−ＥＩＴ）に記録された（ａ）バージョンナンバー（ｖｅｒｓｉｏｎ＿ｎｕｍｂｅｒ）、（ｂ）スタートタイム（ｓｔａｒｔ＿ｔｉｍｅ）、（ｃ）デュレーション（ｄｕｒａｔｉｏｎ）、これらの情報を取得して記録する。
【０３２２】
夏時間の時間差を示すオフセット（Ｏｆｆｓｅｔ）、オフセットフラグ（ｏｆｆｓｅｔ＿ｆｌａｇ）、これらは、図４２（２）に示すＭＭＴフォーマット規定のタイムオフセットテーブル（ＭＨ−ＴＯＴ）に記録された（ｄ）オフセット（時間差）情報（ｌｏｃａｌ＿ｔｉｍｅ＿ｏｆｆｓｅｔ等）を取得して記録する。
【０３２３】
他のＳＩＴの記述子（ｄｅｓｃｒｉｐｔｏｒ）の変更状況（ｏｔｈｅｒ＿ｄｅｓｃｒｉｐｔｏｒ＿ｓｔａｔｕｓ）は、図４２（３）に示すＭＭＴフォーマット規定のタイムオフセットテーブル（ＭＨ−ＴＯＴ）に記録された（ｅ）時間情報（ＪＳＴ＿ｔｉｍｅ）を取得して記録する。
【０３２４】
（ステップＳ１７３）
ステップＳ１７３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０３２５】
前述したように、パーシャルトランスポートストリームタイム記述子は、パーシャルＴＳ（トランスポートストリーム）の生成時間情報であり、ＭＰＥＧ２−ＴＳフォーマットに従ったＴＳパケット列を送信する場合に必要となる情報である。ＭＭＴフォーマットに従ったＭＭＴパケット列から構成されるデータを送信する場合には不要な情報である。
【０３２６】
従って、受信装置２０が、放送局から受信するＭＭＴフォーマットデータに基づいてＭＭＴ対応の番組情報記録テーブル（ＭＨ−ＳＩＴ）を生成する場合は、ＭＭＴ対応の番組情報記録テーブル（ＭＨ−ＳＩＴ）内には、パーシャルトランスポートストリームタイム記述子は記録しない。
【０３２７】
（１８）放送ＩＤ記述子対応情報の取得と記録処理
次に、図４３を参照して放送局から受信するＭＭＴフォーマットデータからの放送ＩＤ記述子対応情報の取得処理と、ＭＭＴ対応の番組情報記録テーブル（ＭＨ−ＳＩＴ）と、ＭＰＥＧ−２ＴＳ対応の番組情報記録テーブル（ＳＩＴ）に対する放送ＩＤ記述子の記録処理について説明する。
【０３２８】
なお、先に図４を参照して説明したように、放送ＩＤ記述子には、データ放送の再生に必要な放送時の各種ＩＤ等の情報が記録される。また、図９に示すように、放送ＩＤ記述子に対応する記述子は、ＭＭＴフォーマット規定のテーブルには記録されていない。ＭＭＴフォーマット規定のテーブルに放送ＩＤ記述子と同じ記述子はないが、放送ＩＤ記述子のる実体データと同様のデータは、各テーブルから取得することができる。
【０３２９】
図４３には、受信装置２０が実行する処理ステップＳ１８１〜Ｓ１８３と、これらの処理結果として生成される番組情報記録テーブル（ＭＨ−ＳＩＴ，ＳＩＴ）内の放送ＩＤ記述子の記録例を示している。
【０３３０】
受信装置２０が、放送局から受信するＭＭＴフォーマットデータに基づいてＭＰＥＧ２−ＴＳ対応の番組情報記録テーブル（ＳＩＴ）を生成する場合は、ステップＳ１８１、ステップＳ１８２の処理を実行する。この処理結果として、ＭＰＥＧ２−ＴＳ対応の番組情報記録テーブル（ＳＩＴ）内に図４３（ａ）に示すデータ構成を持つ放送ＩＤ記述子が記録される。
【０３３１】
一方、受信装置２０が、放送局から受信するＭＭＴフォーマットデータに基づいてＭＭＴ対応の番組情報記録テーブル（ＭＨ−ＳＩＴ）を生成する場合は、ステップＳ１８１、ステップＳ１８３の処理を実行する。この処理結果として、ＭＭＴ対応の番組情報記録テーブル（ＭＨ−ＳＩＴ）内に図４３（ｂ）に示すデータ構成を持つ放送ＩＤ記述子が記録される。
【０３３２】
各ステップの処理について説明する。
（ステップＳ１８１）
まず、ステップＳ１８１において、受信装置２０は放送局１１から受信するＭＭＴフォーマットデータの制御情報（ＳＩ）からイベント情報テーブル（ＭＨ−ＥＩＴ）と、ブロードキャスタ情報テーブル（ＭＨ−ＢＩＴ）を取得し、このイベント情報テーブル（ＭＨ−ＥＩＴ）と、ブロードキャスタ情報テーブル（ＭＨ−ＢＩＴ）から、番組情報記録テーブル（ＭＨ−ＳＩＴ、ＳＩＴ（セレクション情報テーブル））に記録する放送ＩＤ記述子に対応する情報を取得する。
【０３３３】
先に図８を参照して説明したように、ＭＨ−ＥＩＴ（イベント情報テーブル）は、ＭＭＴ制御情報（ＭＭＴ−ＳＩ）に含まれるテーブルであり、コンテンツ（番組等）の名称、放送日時、内容の説明など、コンテンツ関連情報を記録したテーブルである。ＭＨ−ＢＩＴ（ブロードキャスタ情報テーブル）は、ＭＭＴ制御情報（ＭＭＴ−ＳＩ）に含まれるテーブルであり、ネットワーク上のブロードキャスタの情報を記録したテーブルである。
受信装置２０は、このイベント情報テーブル（ＭＨ−ＥＩＴ）と、ブロードキャスタ情報テーブル（ＭＨ−ＢＩＴ）から、番組情報記録テーブル（ＭＨ−ＳＩＴ、ＳＩＴ（セレクション情報テーブル））に記録する放送ＩＤ記述子に対応する情報を取得する。
具体的には、データ放送の再生に必要な放送時の各種ＩＤ等の情報等の情報を取得する。
【０３３４】
（ステップＳ１８２）
ステップＳ１８２の処理は、受信装置２０が、放送局から受信するＭＭＴフォーマットデータに基づいてＭＰＥＧ２−ＴＳ対応の番組情報記録テーブル（ＳＩＴ）を生成する場合に実行する処理である。
【０３３５】
この場合、受信装置２０は、ステップＳ１８１でＭＭＴフォーマット対応のイベント情報テーブル（ＭＨ−ＥＩＴ）と、ブロードキャスタ情報テーブル（ＭＨ−ＢＩＴ）から取得した情報を利用して、ＭＰＥＧ２−ＴＳ対応の番組情報記録テーブル（ＳＩＴ）に放送ＩＤ記述子を記録する。
なお、放送ＩＤ記述子の記録領域は、第２記述子ループ（サービス情報記述子ループ）とする。
【０３３６】
この結果、ＭＰＥＧ２−ＴＳ対応の番組情報記録テーブル（ＳＩＴ）内に図４３（ａ）に示すデータ構成を持つ放送ＩＤ記述子が記録される。
図４３（ａ）に示す放送ＩＤ記述子には、記述子タグ＝０ｘ８５が記録され、さらに、オリジナルネットワークＩＤ（ｏｒｉｇｉｎａｌ＿ｎｅｔｗｏｒｋ＿ｉｄ）、ＴＬＶストリームＩＤ（ｔｌｖ＿ｓｔｒｅａｍ＿ｉｄ）、イベントＩＤ（ｅｖｅｎｔ＿ｉｄ）、ブロードキャスタＩＤ（ｂｒｏａｄｃａｓｔｅｒ＿ｉｄ）等の情報が記録される。
記述子タグ＝０ｘ８５は、従来のＭＰＥＧ２−ＴＳ対応のＳＩＴにおいて放送ＩＤ記述子タグとして用いられているタグである。
オリジナルネットワークＩＤ（ｏｒｉｇｉｎａｌ＿ｎｅｔｗｏｒｋ＿ｉｄ）、ＴＬＶストリームＩＤ（ｔｌｖ＿ｓｔｒｅａｍ＿ｉｄ）、イベントＩＤ（ｅｖｅｎｔ＿ｉｄ）、ブロードキャスタＩＤ（ｂｒｏａｄｃａｓｔｅｒ＿ｉｄ）等の情報は、ステップＳ１８１でＭＭＴフォーマット対応のイベント情報テーブル（ＭＨ−ＥＩＴ）と、ブロードキャスタ情報テーブル（ＭＨ−ＢＩＴ）から取得した情報である。
【０３３７】
（ステップＳ１８３）
ステップＳ１８３は、受信装置２０が、放送局から受信するＭＭＴフォーマットデータに基づいてＭＭＴ対応の番組情報記録テーブル（ＭＨ−ＳＩＴ）を生成する場合に実行する処理である。
【０３３８】
この場合、受信装置２０は、ステップＳ１８１でＭＭＴフォーマット対応のイベント情報テーブル（ＭＨ−ＥＩＴ）と、ブロードキャスタ情報テーブル（ＭＨ−ＢＩＴ）から取得した情報を利用して、ＭＭＴ対応の番組情報記録テーブル（ＭＨ−ＳＩＴ）に放送ＩＤ記述子を記録する。
なお、放送ＩＤ記述子の記録領域は、第２記述子ループ（サービス情報記述子ループ）とする。
【０３３９】
この結果、ＭＭＴ対応の番組情報記録テーブル（ＭＨ−ＳＩＴ）内に図４３（ｂ）に示すデータ構成を持つ放送ＩＤ記述子が記録される。
図４３（ｂ）に示す放送ＩＤ記述子には、記述子タグ＝０ｘＦＣ０１が記録され、さらに、オリジナルネットワークＩＤ（ｏｒｉｇｉｎａｌ＿ｎｅｔｗｏｒｋ＿ｉｄ）、ＴＬＶストリームＩＤ（ｔｌｖ＿ｓｔｒｅａｍ＿ｉｄ）、イベントＩＤ（ｅｖｅｎｔ＿ｉｄ）、ブロードキャスタＩＤ（ｂｒｏａｄｃａｓｔｅｒ＿ｉｄ）等の情報が記録される。
記述子タグ＝０ｘＦＣ０１は、ＭＭＴフォーマットにおいて放送ＩＤ記述子タグとして用いられているタグである。
オリジナルネットワークＩＤ（ｏｒｉｇｉｎａｌ＿ｎｅｔｗｏｒｋ＿ｉｄ）、ＴＬＶストリームＩＤ（ｔｌｖ＿ｓｔｒｅａｍ＿ｉｄ）、イベントＩＤ（ｅｖｅｎｔ＿ｉｄ）、ブロードキャスタＩＤ（ｂｒｏａｄｃａｓｔｅｒ＿ｉｄ）等の情報は、ステップＳ１８１でＭＭＴフォーマット対応のイベント情報テーブル（ＭＨ−ＥＩＴ）と、ブロードキャスタ情報テーブル（ＭＨ−ＢＩＴ）から取得した情報である。
【０３４０】
これらの情報の取得元となるＭＭＴフォーマット対応のイベント情報テーブル（ＭＨ−ＥＩＴ）と、ブロードキャスタ情報テーブル（ＭＨ−ＢＩＴ）の記録情報について、図４４を参照して説明する。
【０３４１】
オリジナルネットワークＩＤ（ｏｒｉｇｉｎａｌ＿ｎｅｔｗｏｒｋ＿ｉｄ）は、図４４（１）に示すＭＭＴフォーマット対応のイベント情報テーブル（ＭＨ−ＥＩＴ）に記録された（ａ）オリジナルネットワークＩＤ（ｏｒｉｇｉｎａｌ＿ｎｅｔｗｏｒｋ＿ｉｄ）を取得して記録する。
【０３４２】
ＴＬＶストリームＩＤ（ｔｌｖ＿ｓｔｒｅａｍ＿ｉｄ）、イベントＩＤ（ｅｖｅｎｔ＿ｉｄ）は、、図４４（１）に示すＭＭＴフォーマット対応のイベント情報テーブル（ＭＨ−ＥＩＴ）に記録された（ｂ）ＴＬＶストリームＩＤ（ｔｌｖ＿ｓｔｒｅａｍ＿ｉｄ）、（ｃ）イベントＩＤ（ｅｖｅｎｔ＿ｉｄ）を取得して記録する。
【０３４３】
ブロードキャスタＩＤ（ｂｒｏａｄｃａｓｔｅｒ＿ｉｄ）は、図４４（２）に示すＭＭＴフォーマット対応のブロードキャスタ情報テーブル（ＭＨ−ＢＩＴ）に記録された（ｄ）ブロードキャスタＩＤ（ｂｒｏａｄｃａｓｔｅｒ＿ｉｄ）を取得して記録する。
【０３４４】
［８．ＭＭＴフォーマットデータを受信し、番組情報記録テーブル（ＭＨ−ＳＩＴ，ＳＩＴ）を生成して送信する情報処理装置の構成と処理について］
次に、図４５を参照して、ＭＭＴフォーマットデータを受信し、番組情報記録テーブル（ＭＨ−ＳＩＴ，ＳＩＴ）を生成して送信する情報処理装置の構成と処理について説明する。
【０３４５】
先に説明したように、受信装置２０は、放送局１１からＭＭＴフォーマットに従ったデータを入力して、以下の処理１または処理２を実行する。
（処理１）ＭＭＴパケット列によって構成されるＭＭＴフォーマットデータを生成するとともに、番組情報記録テーブル（ＭＨ−ＳＩＴ）を生成してＭＭＴパケット内に格納してネットワーク接続装置３０に送信する。
（処理２）ＭＭＴフォーマットをＭＰＥＧ２−ＴＳフォーマットに変換し、ＴＳパケット列によって構成されるＭＰＥＧ−２ＴＳフォーマットデータを生成するとともに、番組情報記録テーブル（ＳＩＴ）を生成してＭＰＥＧ２−ＴＳパケット内に格納してネットワーク接続装置３０に送信する。
【０３４６】
図４５は、受信装置２０に相当する情報処理装置４００の構成を示す図である。
データ入力部４０１は、ＭＭＴフォーマットデータ４３１、すなわち画像データ、音声データ、さらに制御情報（ＳＩ）としての様々なテーブル（ＭＰＴ，ＭＨ−ＥＩＴ，ＭＨ−ＢＩＴ，ＭＨ−ＳＤＴ，ＭＨ−ＴＯＴ等）を含むＭＭＴフォーマットデータ４３１を入力する。
データ入力部４０１は、ＭＭＴフォーマットデータ４３１を送信する例えば放送局やコンテンツサーバ等からの送信データを受信する受信部、あるいは、ＭＭＴフォーマットデータ４３１を記録したメディアからのデータ読み取りを実行するメディア読み取り部等によって構成される。
【０３４７】
データ入力部４０１から入力するＭＭＴフォーマットデータ４３１は、先に図２を参照して説明したデータフォーマットに従ったデータであり、例えばＨＥＶＣ画像等の高精細画像データが含まれている。
【０３４８】
ＭＭＴフォーマットデータ４３１は、制御部４０３の制御によって、記憶部４０４に格納される。
ユーザ入力部４０２は、例えば、ネットワーク接続装置に対するデータ送信の開始要求等を入力する。
【０３４９】
ユーザ入力部４０２から、データ送信開始要求を入力すると、この入力をトリガとして、記憶部４０４に格納されたＭＭＴフォーマットデータ４３１が、デマルチプレクサ（ＤｅＭＵＸ）４０５に入力される。
デマルチプレクサ（ＤｅＭＵＸ）４０５は、ＭＭＴフォーマットデータ４３１から、画像、音声、字幕等の各データを格納したパケットや、上記各種のテーブルを含む制御情報（ＴＬＶ−ＳＩ，ＭＭＴ−ＳＩ）を取得し、データ種別のパケットに分類し、各パケットを、データ種類に応じて、データ処理部４０６の字幕データ生成部４１１、画像データ生成部４１２、音声データ生成部４１３、制御情報解析部４１４に入力する。
【０３５０】
字幕データ生成部４１１は、データ入力部４０１が入力し、記憶部４０４に格納されたＭＭＴフォーマットデータ３３１から、字幕データを取得し、ＢＤＡＶフォーマットにおいて規定されるストリームファイル格納用データを生成する。
画像データ生成部４１２は、データ入力部４０１が入力し、記憶部４０４に格納されたＭＭＴフォーマットデータ３３１から、画像データを取得し、ＢＤＡＶフォーマットにおいて規定されるストリームファイル格納用データを生成する。
音声データ生成部４１３は、データ入力部４０１が入力し、記憶部４０４に格納されたＭＭＴフォーマットデータ４３１から、音声データを取得し、ＢＤＡＶフォーマットにおいて規定されるストリームファイル格納用データを生成する。
【０３５１】
制御情報解析部４１４は、データ入力部４０１が入力し、記憶部４０４に格納されたＭＭＴフォーマットデータ４３１から、通知情報や、再生制御情報、コピー制御情報等を含む制御情報（ＴＬＶ−ＳＩ，ＭＭＴ−ＳＩ）等の制御情報を取得する。
【０３５２】
番組情報記録テーブル生成部４１６は、制御情報解析部４１４から、ＭＭＴフォーマットデータに含まれる制御情報（ＳＩ）、すなわち複数の様々なテーブル（ＭＰＴ，ＭＨ−ＥＩＴ，ＭＨ−ＢＩＴ，ＭＨ−ＳＤＴ，ＭＨ−ＴＯＴ等）に記録された情報を入力して、番組情報記録テーブル（ＭＨ−ＳＩＴ，ＳＩＴ）を生成する。
【０３５３】
なお、送信データがＭＭＴフォーマットに従ったＭＭＴパケット列によって構成される場合は、ＭＭＴフォーマット対応の番組情報記録テーブル（ＭＨ−ＳＩＴ）を生成する。
一方、送信データがＭＰＥＧ２−ＴＳフォーマットに従ったＴＳパケット列によって構成される場合は、ＭＰＥＧ２−ＴＳフォーマット対応の番組情報記録テーブル（ＳＩＴ）を生成する。
【０３５４】
マルチプレクサ（ＭＵＸ）４１５は、字幕データ生成部４１１、画像データ生成部４１２、音声データ生成部４１３が変換した字幕、画像、音声各データ、および制御情報解析部４１４がＭＭＴフォーマットデータ３３１の制御情報（ＴＬＶ−ＳＩ，ＭＭＴ−ＳＩ）等から取得した情報、さらに、番組情報記録テーブル生成部４１６が生成した番組情報記録テーブル（ＭＨ−ＳＩＴ，ＳＩＴ）を入力し、これらのデータを格納したパケット列を生成する。
【０３５５】
ここで生成するパケット列は、
ＭＭＴパケット列によって構成されるＭＭＴフォーマットデータ、または、
ＴＳパケット列によって構成されるＭＰＥＧ２−ＴＳフォーマットデータのいずれかである。
【０３５６】
ＭＭＴパケット列によって構成されるＭＭＴフォーマットデータには、ＭＭＴフォーマット対応の番組情報記録テーブル（ＭＨ−ＳＩＴ）を格納したＭＭＴパケットが含まれる。また、ＴＳパケット列によって構成されるＭＰＥＧ２−ＴＳフォーマットデータには、ＭＰＥＧ２−ＴＳフォーマット対応の番組情報記録テーブル（ＳＩＴ）を格納したＴＳパケットが含まれる。
【０３５７】
データ処理部４０６の生成した送信データ４３２は、制御部４０３の制御の下、通信部４０７を介して、ネットワーク接続装置に送信される。
【０３５８】
次に、図４５を参照して説明した情報処理装置４００が実行する処理のシーケンスについて、図４６に示すフローチャートを参照して説明する。
【０３５９】
図４６に示すフローに従った処理は、例えば情報処理装置の記憶部に格納されたプログラムに従って、プログラム実行機能を有するＣＰＵを備えたデータ処理部（制御部）の制御の下で実行することができる。
以下、図４６のフローに示す各ステップの処理について、順次、説明する。
【０３６０】
（ステップＳ２０１）
まず、情報処理装置４００は、ステップＳ２０１において、データ入力部４０１を介してＭＭＴフォーマットデータを入力する。
このデータには画像データ、音声データ、字幕データ、さらに、通知情報や制御情報等を格納した制御情報（ＴＬＶ−ＳＩ，ＭＭＴ−ＳＩ）等が含まれる。
なお、制御情報には、番組情報を記録した複数の様々なテーブル（ＭＰＴ，ＭＨ−ＥＩＴ，ＭＨ−ＢＩＴ，ＭＨ−ＳＤＴ，ＭＨ−ＴＯＴ等）が含まれる。
【０３６１】
（ステップＳ２０２）
次に、ステップＳ２０２において、情報処理装置４００は、入力したＭＭＴフォーマットデータのデマルチプレクス処理、すなわち、データ種類単位のデータ分離処理を行う。画像、音声、字幕、制御情報等の分離処理を実行する。
【０３６２】
（ステップＳ２０３）
次に、ステップＳ２０３において、情報処理装置４００は、ネットワーク接続装置等の外部装置に送信する転送データが、ＭＭＴフォーマットデータであるか、ＭＰＥＧ２−ＴＳフォーマットデータであるかを判定する。この判定は、例えば送信先装置との事前通信により、送信先装置がＭＭＴフォーマットデータを処理可能であるかを確認し、処理可能である場合は送信データをＭＭＴフォーマットデータとし、処理不可能である場合はＭＰＥＧ２−ＴＳフォーマットデータとするといった処理によって行われる。
【０３６３】
送信データをＭＭＴフォーマットデータに設定した場合は、ステップＳ２０４〜Ｓ２０５の処理を実行する。一方、送信データをＭＰＥＧ２−ＴＳフォーマットデータに設定した場合は、ステップＳ２０６〜Ｓ２０７の処理を実行する。
【０３６４】
（ステップＳ２０４）
送信データをＭＭＴフォーマットデータに設定した場合は、ステップＳ２０４において、情報処理装置４００は、ＭＭＴフォーマット対応の番組情報記録テーブル（ＭＨ−ＳＩＴ）を生成する。
【０３６５】
すなわち、図４５に示すデータ処理部４０６の番組情報記録テーブル生成部４１６が、ＭＭＴフォーマットデータに含まれる複数の様々なテーブル（ＭＰＴ，ＭＨ−ＥＩＴ，ＭＨ−ＢＩＴ，ＭＨ−ＳＤＴ，ＭＨ−ＴＯＴ等）に記録された情報を選択取得して、ＭＭＴフォーマット対応の番組情報記録テーブル（ＭＨ−ＳＩＴ）を生成する。
【０３６６】
（ステップＳ２０５）
次に、ステップＳ２０５において、情報処理装置４００は、ステップＳ２０４で生成したＭＭＴフォーマット対応の番組情報記録テーブル（ＭＨ−ＳＩＴ）を格納したＭＭＴパケットと、送信コンテンツを構成する画像、音声武藤のコンテンツデータを格納したＭＭＴパケットからなるＭＭＴフォーマット対応のＭＭＴパケット列を生成して、ネットワークを介して送信する。
【０３６７】
（ステップＳ２０６）
一方、ステップＳ２０３において、送信データをＭＰＥＧ２−ＴＳフォーマットデータに設定した場合は、ステップＳ２０６において、情報処理装置４００は、ＭＰＥＧ２−ＴＳフォーマット対応の番組情報記録テーブル（ＳＩＴ）を生成する。
【０３６８】
すなわち、図４５に示すデータ処理部４０６の番組情報記録テーブル生成部４１６が、ＭＭＴフォーマットデータに含まれる複数の様々なテーブル（ＭＰＴ，ＭＨ−ＥＩＴ，ＭＨ−ＢＩＴ，ＭＨ−ＳＤＴ，ＭＨ−ＴＯＴ等）に記録された情報を選択取得して、ＭＰＥＧ２−ＴＳフォーマット対応の番組情報記録テーブル（ＳＩＴ）を生成する。
【０３６９】
（ステップＳ２０７）
次に、ステップＳ２０７において、情報処理装置４００は、ステップＳ２０６で生成したＭＰＥＧ２−ＴＳフォーマット対応の番組情報記録テーブル（ＳＩＴ）を格納したＴＳパケットと、送信コンテンツを構成する画像、音声武藤のコンテンツデータを格納したＴＳパケットからなるＭＰＥＧ２−ＴＳフォーマット対応のＴＳパケット列を生成して、ネットワークを介して送信する。
【０３７０】
ステップＳ２０５、またはステップＳ２０７において、情報処理装置４００から送信されたＭＭＴパケット、またはＴＳパケットは、ネットワーク接続装置に送信される。ＭＭＴパケット列、またはＴＳパケット列を受信したネットワーク接続装置のデータ処理部は、いずれの場合も各パケット列からパケット識別子に基づいて番組情報を記録したＭＨ−ＳＩＴ格納パケット、またはＳＩＴ格納パケットを取得し、番組情報を参照、利用することが可能となる。例えば、ネットワーク接続装置のデータ処理部は、番組情報格納パケットから番組情報を読み出して表示部に表示するといった処理を行うことができる。
【０３７１】
［９．情報処理装置の構成例について］
次に、図４５を参照して説明した情報処理装置４００、および、情報処理装置４００からの送信データを受信するネットワーク接続装置（外部装置）のハードウェア構成例について、図４７を参照して説明する。
【０３７２】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０３７３】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０３７４】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０３７５】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０３７６】
［１０．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０３７７】
なお、本明細書において開示した技術は、以下のような構成をとることができる。
（１）  ＭＭＴ（ＭＰＥＧ  Ｍｅｄｉａ  Ｔｒａｎｓｐｏｒｔ）フォーマットデータを入力し、ネットワーク接続装置に送信する送信データを生成するデータ処理部を有し、
前記データ処理部は、
入力データに含まれるＭＭＴフォーマットデータ対応の番組情報を取得し、番組情報記録テーブルを生成して、番組情報記録テーブルの格納パケットを含む送信データを生成する情報処理装置。
【０３７８】
（２）  前記データ処理部は、
ＭＭＴフォーマット規定の制御情報記録テーブルから番組情報を取得する（１）に記載の情報処理装置。
【０３７９】
（３）  前記ＭＭＴフォーマット規定の制御情報記録テーブルは、
イベント情報テーブル（ＭＨ−ＥＩＴ）、またはＭＭＴパッケージテーブル（ＭＭＴ）、またはサービス記述テーブル（ＭＨ−ＳＤＴ）、またはブロードキャスタ情報テーブル（ＭＨ−ＢＩＴ）、またはタイムオフセットテーブル（ＭＨ−ＴＯＴ）の少なくともいずれかのテーブルである（２）に記載の情報処理装置。
【０３８０】
（４）  前記データ処理部は、
ＭＭＴフォーマットに従ったＭＭＴパケット列、または、ＭＰＥＧ２−ＴＳフォーマットに従ったＴＳパケット列から構成される送信データを生成する（１）〜（３）いずれかに記載の情報処理装置。
【０３８１】
（５）  前記データ処理部は、
ＭＰＥＧ２−ＴＳフォーマットに従ったＴＳパケット列から構成される送信データを生成する場合、入力データであるＭＭＴフォーマットデータをＭＰＥＧ２−ＴＳフォーマットに変換するフォーマット変換を実行する（１）〜（４）いずれかに記載の情報処理装置。
【０３８２】
（６）  前記データ処理部が入力するＭＭＴフォーマットデータは、放送局の配信データである（１）〜（５）いずれかに記載の情報処理装置。
【０３８３】
（７）  前記データ処理部は、
第１記述子ループと第２記述子ループの２つの記述子ループの少なくともいずかのループに番組情報を記録した番組情報記録テーブルを生成する（１）〜（６）いずれかに記載の情報処理装置。
【０３８４】
（８）  前記データ処理部は、
ＭＰＥＧ２−ＴＳフォーマットにおいて規定されるセレクション情報テーブル（ＳＩＴ）に規定される記述子を記録した番組情報記録テーブルを生成する（１）〜（７）いずれかに記載の情報処理装置。
【０３８５】
（９）  前記データ処理部は、
前記ネットワーク接続装置に送信する送信データが、
ＭＭＴフォーマットに従ったＭＭＴパケット列である場合、
ＭＭＴフォーマットに従った番組情報記録テーブル（ＭＨ−ＳＩＴ）を生成する（１）〜（８）いずれかに記載の情報処理装置。
【０３８６】
（１０）  前記データ処理部は、
前記ネットワーク接続装置に送信する送信データが、
ＭＰＥＧ２−ＴＳフォーマットに従ったＴＳパケット列である場合、
ＭＰＥＧ２−ＴＳフォーマットに従った番組情報記録テーブル（ＳＩＴ）を生成する（１）〜（９）いずれかに記載の情報処理装置。
【０３８７】
（１１）  前記データ処理部は、
ＭＰＥＧ２−ＴＳフォーマットの番組情報記録テーブル（ＳＩＴ）に規定された記述子と同じ記述子を前記ＭＭＴフォーマット規定の制御情報記録テーブルから選択して、前記番組情報記録テーブルに記録する（１）〜（１０）いずれかに記載の情報処理装置。
【０３８８】
（１２）  前記データ処理部は、
ＭＰＥＧ２−ＴＳフォーマットの番組情報記録テーブル（ＳＩＴ）に規定された記述子と同じ記述子が前記ＭＭＴフォーマット規定の制御情報記録テーブルにない場合、前記番組情報記録テーブル（ＳＩＴ）に規定された記述子の実体データと類似するデータを前記ＭＭＴフォーマット規定の制御情報記録テーブルから選択して、前記番組情報記録テーブルに記録する（１）〜（１１）いずれかに記載の情報処理装置。
【０３８９】
（１３）  前記データ処理部は、
番組情報記録テーブルの格納パケットに番組情報記録テーブル格納パケットであることを識別可能なパケット識別子を記録する（１）〜（１２）いずれかに記載の情報処理装置。
【０３９０】
（１４）  ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得し、
前記番組情報格納パケットから、番組情報を読み出して表示部に表示するデータ処理部を有する情報処理装置。
【０３９１】
（１５）  前記番組情報は、複数の異なる記述子によって構成され、前記記述子中、少なくとも一部の記述子は、ＭＰＥＧ２−ＴＳフォーマットにおいて規定されるセレクション情報テーブル（ＳＩＴ）に規定された記述子と同じ記述子である（１４）に記載の情報処理装置。
【０３９２】
（１６）  情報処理装置において実行する情報処理方法であり、
データ処理部が、ＭＭＴ（ＭＰＥＧ  Ｍｅｄｉａ  Ｔｒａｎｓｐｏｒｔ）フォーマットデータを入力し、ネットワーク接続装置に送信する送信データを生成するデータ処理ステップを実行し、
前記データ処理部は、前記データ処理ステップにおいて、
入力データに含まれるＭＭＴフォーマットデータ対応の番組情報を取得し、番組情報記録テーブルを生成して、番組情報記録テーブルの格納パケットを含む送信データを生成する情報処理方法。
【０３９３】
（１７）  情報処理装置において実行する情報処理方法であり、
データ処理部が、ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得し、
前記番組情報格納パケットから、番組情報を読み出して表示部に表示する情報処理方法。
【０３９４】
（１８）  情報処理装置において情報処理を実行させるプログラムであり、
データ処理部に、ＭＭＴ（ＭＰＥＧ  Ｍｅｄｉａ  Ｔｒａｎｓｐｏｒｔ）フォーマットデータを入力して、ネットワーク接続装置に送信する送信データを生成するデータ処理ステップを実行させ、
前記プログラムは、前記データ処理ステップにおいて、
入力データに含まれるＭＭＴフォーマットデータ対応の番組情報を取得し、番組情報記録テーブルを生成して、番組情報記録テーブルの格納パケットを含む送信データを生成させるプログラム。
【０３９５】
（１９）  情報処理装置において情報処理を実行させるプログラムであり、
データ処理部に、ＭＭＴ（ＭＰＥＧ  Ｍｅｄｉａ  Ｔｒａｎｓｐｏｒｔ）フォーマットデータを格納したＭＭＴパケット列を入力して、該ＭＭＴパケット列に含まれる番組情報格納パケットを取得させ、
前記番組情報格納パケットから番組情報を読み出して表示部に表示させるプログラム。
【０３９６】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０３９７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０３９８】
以上、説明したように、本開示の一実施例の構成によれば、ＭＭＴフォーマット規定の制御情報記録テーブルから番組情報を取得して、番組情報格納パケットを含むＭＭＴパケット列、またはＴＳパケット列を生成して送信し、送信先での番組情報の利用を可能とする構成が実現される。
具体的には、例えば、放送局からのデータ受信を行う受信装置が、ＭＭＴフォーマットデータを入力し、ネットワーク接続装置に送信する送信データを生成するデータ処理部を有する。データ処理部はＭＭＴフォーマットデータ対応の番組情報を取得して番組情報記録テーブルを生成し、番組情報格納パケットを含む送信データを生成する。データ処理部は、ＭＭＴフォーマット規定のイベント情報テーブル（ＭＨ−ＥＩＴ）等の制御情報記録テーブルから番組情報を取得して、ＭＭＴパケット列、または、ＴＳパケット列から構成される送信データを送信し、送信先での番組情報利用を可能とする。
本構成により、ＭＭＴフォーマット規定の制御情報記録テーブルから番組情報を取得して、番組情報格納パケットを含むＭＭＴパケット列、またはＴＳパケット列を生成して送信し、送信先での番組情報の利用を可能とする構成が実現される。
【符号の説明】
【０３９９】
１１  放送局（放送サーバ）
２０  受信装置
３０  ネットワーク接続装置
４００  情報処理装置
４０１  データ入力部
４０２  ユーザ入力部
４０３  制御部
４０４  記憶部
４０５  デマルチプレクサ
４０６  データ処理部
４０７  通信部
４１１  字幕データ生成部
４１２  画像データ生成部
４１３  音声データ生成部
４１４  制御情報解析部
４１５  マルチプレクサ
４１６  番組情報記録テーブル生成部
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2019230269.tif 000003
【図２】
2019230269.tif 000004
【図３】
2019230269.tif 000005
【図４】
2019230269.tif 000006
【図５】
2019230269.tif 000007
【図６】
2019230269.tif 000008
【図７】
2019230269.tif 000009
【図８】
2019230269.tif 000010
【図９】
2019230269.tif 000011
【図１０】
2019230269.tif 000012
【図１１】
2019230269.tif 000013
【図１２】
2019230269.tif 000014
【図１３】
2019230269.tif 000015
【図１４】
2019230269.tif 000016
【図１５】
2019230269.tif 000017
【図１６】
2019230269.tif 000018
【図１７】
2019230269.tif 000019
【図１８】
2019230269.tif 000020
【図１９】
2019230269.tif 000021
【図２０】
2019230269.tif 000022
【図２１】
2019230269.tif 000023
【図２２】
2019230269.tif 000024
【図２３】
2019230269.tif 000025
【図２４】
2019230269.tif 000026
【図２５】
2019230269.tif 000027
【図２６】
2019230269.tif 000028
【図２７】
2019230269.tif 000029
【図２８】
2019230269.tif 000030
【図２９】
2019230269.tif 000031
【図３０】
2019230269.tif 000032
【図３１】
2019230269.tif 000033
【図３２】
2019230269.tif 000034
【図３３】
2019230269.tif 000035
【図３４】
2019230269.tif 000036
【図３５】
2019230269.tif 000037
【図３６】
2019230269.tif 000038
【図３７】
2019230269.tif 000039
【図３８】
2019230269.tif 000040
【図３９】
2019230269.tif 000041
【図４０】
2019230269.tif 000042
【図４１】
2019230269.tif 000043
【図４２】
2019230269.tif 000044
【図４３】
2019230269.tif 000045
【図４４】
2019230269.tif 000046
【図４５】
2019230269.tif 000047
【図４６】
2019230269.tif 000048
【図４７】
2019230269.tif 000049
【国際調査報告】
2019230269.tif 000050
2019230269.tif 000051